(57)【要約】  釣り糸を案内するガイドリングを有して釣り竿の管状竿に取り付けられ、軽量である釣り糸ガイドの製造方法が提供される。釣り糸ガイドの製造方法は、ガイドリング（１２００）を保持及び支持するリングサポート（１３００）を加工する段階と、管状竿（１１３）の外周面と嵌合される内周面（１１１２）を有する環状の取付部（１１００）を射出成形する段階とを含む。リングサポート（１３００）は、金属製の薄板からなる。リングサポート（１３００）は、ガイドリング（１２００）を保持するリング保持部（１３１０）と、リング保持部（１３１０）と一体に形成されるリング支持部（１３２０）とを含む。リング支持部（１３２０）は、管状竿（１１３）に向かう下方方向にリング支持部（１３２０）の下端まで延長する第１曲げ部（１３３１）を基準として、第１曲げ角（ＢＡ１）で曲げられている。取付部（１１００）は、第１曲げ部（１３３１）の下側一部を含むリング支持部（１３２０）の下側一部が取付部（１１００）に埋め込まれるように、リングサポート（１３００）をインサートとして用いて、樹脂材料によって射出成形される。
2019142623.tif 000002
【特許請求の範囲】
【請求項１】
釣り糸を案内するガイドリングを有して釣り竿の管状竿に取り付けられる釣り糸ガイドを製造する方法であって、
金属製の薄板からなり、前記ガイドリングを保持するリング保持部と前記リング保持部と一体に形成されるリング支持部とを含み、前記リング支持部は、前記管状竿に向かう下方方向に前記リング支持部の下端まで延長する第１曲げ部を基準として、第１曲げ角で曲げられている、リングサポートを加工する段階と、
前記管状竿の外周面と嵌合される内周面を有する環状の取付部を、前記第１曲げ部の下側一部を含む前記リング支持部の下側一部が前記取付部に埋め込まれるように、前記リングサポートをインサートとして用いて、樹脂材料によって射出成形する段階と、を含む、
釣り糸ガイドの製造方法。
【請求項２】
前記樹脂材料は、カーボン長繊維強化樹脂である、
請求項１に記載の釣り糸ガイドの製造方法。
【請求項３】
前記リングサポートを加工する段階は、
金属シートに前記ガイドリングが結合される貫通孔を形成する段階と、
前記金属シートに前記第１曲げ部が形成されるように前記金属シートをベンディングする段階と、
前記金属シートから前記リングサポートをブランキングする段階と、を含む、
請求項１に記載の釣り糸ガイドの製造方法。
【請求項４】
前記リング保持部は、前記リング保持部と前記リング支持部との間の境界となり前記第１曲げ部に連結されて前記リングサポートの一側端から他側端まで延長し前記リングサポートの下端に凸な第２曲げ部を基準として、前記リング支持部に対して第２曲げ角で曲げられ、
前記金属シートをベンディングする段階は、前記金属シートに前記第２曲げ部が形成されるように前記金属シートをベンディングする段階を含む、
請求項３に記載の釣り糸ガイドの製造方法。
【請求項５】
前記リングサポートを加工する段階は、前記金属シートをベンディングする段階の前に、前記リング支持部に位置し前記第１曲げ部に対して対称に前記リング支持部を貫通して形成された一対の第１開口を前記金属シートに形成する段階を含み、
前記第１開口は、前記取付部を射出成形する段階により前記樹脂材料で満たされる、
請求項３に記載の釣り糸ガイドの製造方法。
【請求項６】
前記貫通孔を形成する段階は、前記貫通孔の全周を前記金属シートから突出させることにより、内周面で前記ガイドリングが嵌合される補強フランジを形成する段階をさらに含む、
請求項３に記載の釣り糸ガイドの製造方法。
【請求項７】
前記貫通孔を形成する段階は、前記補強フランジの内周面に、前記ガイドリングの外周面と接触する複数の嵌合突起を形成する段階をさらに含む、
請求項６に記載の釣り糸ガイドの製造方法。
【請求項８】
硬化した樹脂材料からなり、釣り竿の管状竿の外周面と嵌合される内周面を有する環状の取付部と、金属製の薄板からなり、釣り糸を案内するガイドリングを保持するリング保持部、及び前記リング保持部と一体に形成され、前記管状竿に向かう下方方向における端部まで延長する第１曲げ部を基準として、第１曲げ角で曲げられているリング支持部を有するリングサポートとを含む釣り糸ガイドの製造に用いられる射出成形装置であって、
前記取付部の一部を射出成形するように形成された第１成形空洞を有する上型と、
前記取付部の残りの一部を射出成形するように形成された第２成形空洞、及び前記リングサポートが安着して固定されて前記第１曲げ部の一部を含む前記リング支持部の一部が前記第２成形空洞内に挿入されるように、前記第２成形空洞から延長して形成されたインサートシートを有する下型と、
射出成形された前記取付部を前記下型から分離させるエジェクターと、を含む、
射出成形装置。
【請求項９】
前記エジェクターは、射出成形された前記取付部の環状の表面と面接触で接触する環状のエジェクティング面を有するエジェクタースリーブを含む、
請求項８に記載の射出成形装置。
【請求項１０】
釣り竿の管状竿に取り付けられて釣り糸を案内する釣糸ガイドであって、
硬化した樹脂材料からなり、前記管状竿の外周面と嵌合される内周面を有する環状の取付部と、
釣り糸が通るガイドリングと、
金属製の薄板からなり、前記ガイドリングが結合されるリング保持孔を有するリング保持部と、前記リング保持部と一体に形成され、前記取付部と部分的に結合されるリング支持部とを含むリングサポートと、を含み、
前記リング支持部は、前記リング支持部内で前記管状竿に向かう下方方向に前記リング支持部の下端まで延長する第１曲げ部を基準として、第１曲げ角で曲げられており、
前記第１曲げ部の下側一部を含む前記リング支持部の下側一部が前記取付部に埋め込まれるように、前記リングサポートをインサートとして用いて、前記取付部をなす樹脂材料の射出成形によって前記リングサポートと前記取付部が部分的に結合されている、
釣り糸ガイド。
【請求項１１】
前記硬化した樹脂材料は、カーボン長繊維強化樹脂を含む、
請求項１０に記載の釣り糸ガイド。
【請求項１２】
前記取付部は、前記内周面に、前記取付部の周方向に配列されて三角形の横断面の形状を有し前記管状竿の外周面と密着する複数のセレーションを含む、
請求項１１に記載の釣り糸ガイド。
【請求項１３】
前記リングサポートは、前記取付部の内側で前記リング支持部に位置し前記第１曲げ部に対して対称に前記リング支持部を貫通して形成された一対の第１開口を有し、
前記第１開口は、前記硬化した樹脂材料で満たされた、
請求項１０に記載の釣り糸ガイド。
【請求項１４】
前記取付部は、上端に位置して外側半径方向に突出する上方リブと、前記取付部の中心より下に位置して前記外側半径方向に突出する一対の側方リブと、を含み、
前記上方リブ及び前記一対の側方リブは、前記釣り竿のバットに向かう後方方向に前記取付部の後端面まで延長し、
前記取付部の後端面が前記上方リブの後端面と前記一対の側方リブの後端面とを含む、
請求項１０に記載の釣り糸ガイド。
【請求項１５】
前記上方リブは、前記上方リブの後端面から前記釣り竿のチップに向かう前方方向に拡大される幅を有する、
請求項１４に記載の釣り糸ガイド。
【請求項１６】
前記取付部は、前記釣り竿のチップに向かう前方方向に位置して前記リング支持部の前記下側一部が埋め込まれる大外径部と、前記大外径部に隣接して前記大外径部より小さい外径を有する小外径部と、を含む、
請求項１０に記載の釣り糸ガイド。
【請求項１７】
前記リング保持部は、前記リング保持部と前記リング支持部との間の境界となり前記第１曲げ部に連結される第２曲げ部を基準として、前記リング支持部に対して前記釣り竿のチップに向かって第２曲げ角で曲げられ、
前記第２曲げ部は、前記リングサポートの一側端から他側端まで延長し、前記リング支持部の下端に向かって凸である、
請求項１０に記載の釣り糸ガイド。
【請求項１８】
前記リングサポートは、前記取付部から上方方向に延長して互いに遠くなるように傾斜した一対の第１側端縁と、前記一対の第１側端縁から前記上方方向に前記一対の第１側端縁の傾斜角度と異なる角度でそれぞれ延長する一対の第２側端縁と、前記一対の第１側端縁のそれぞれと前記一対の第２側端縁のそれぞれとの間にそれぞれ位置する一対の境界部と、を含み、
前記一対の境界部は、前記第２曲げ部の両端点にまたは前記第２曲げ部の前記両端点より上側にそれぞれ位置する、
請求項１７に記載の釣り糸ガイド。
【発明の詳細な説明】
【技術分野】
【０００１】
本開示は、釣り竿に取り付けられて釣り糸を案内する釣り糸ガイド及び釣り糸ガイドの製造方法に関するものである。また、本開示は、釣り糸ガイドの製造に用いられる射出成形装置に関するものである。
【背景技術】
【０００２】
仕掛けをキャストする際に、または魚を釣り上げる際に釣り糸をガイドするために釣り糸ガイドが釣り竿の管状竿に取り付けられる。釣り糸ガイドは、釣り糸が通るガイドリングと、ガイドリングを保持及び支持するフレームと、フレームと結合して釣り竿の管状竿に取り付けられる取付部を有する。【０００３】
釣り竿のうち、いわゆる振出式釣り竿（ｔｅｌｅｓｃｏｐｉｃ  ｆｉｓｈｉｎｇ  ｒｏｄ）には、釣り竿の管状竿の外周面に締まり嵌めにより固定される遊動ガイドまたはスライディングガイドが用いられている。遊動ガイドは、釣り竿の管状竿が貫通する環状の取付部を有する。遊動ガイドは、管状竿が取付部を貫通した状態で管状竿に沿って移動可能であり、取付部と管状竿の外周面との間の締まり嵌めにより管状竿に固定される。【０００４】
遊動ガイドの一例として、日本国特許第４２７５４５７号公報（特許文献１）と日本国実公平７−７７２６号公報（特許文献２）は、管状竿に嵌合される環状の取付部と、ガイドリングを支持して取付部に嵌合される取付リングを有する金属製のフレームとを備える遊動ガイドを開示する。
【先行技術文献】
【特許文献】
【０００５】
【特許文献１】日本国特許第４２７５４５７号公報
【特許文献２】日本国実公平７−７７２６号公報
【発明の概要】
【発明が解決しようとする課題】
【０００６】
遊動ガイドを振出式釣り竿に設置するために、遊動ガイドの環状取付部は、釣り竿の後端に向かってスライド移動する。振出式釣り竿の管状竿は、釣り竿の先端へ行くほど直径が小さくなるテーパ状を有する。従って、管状竿の外径と取付部の内径が同一となる位置で、取付部は管状竿の外周面に固定され得る。この時、取付部を釣り竿の後端側に強く押すと、取付部が若干変形され、取付部が管状竿の外周面に締まり嵌めにより固定され得る。【０００７】
仕掛けをキャストする際に、または魚を釣り上げる際に、取付部に結合したフレームに多様な外力が作用する。例えば、釣り竿に横方向に外力がフレームに加えられると、フレームと取付部が管状竿を中心として回転することができ、その場合、遊動ガイドの釣り糸案内機能が喪失する。しかし、環状の取付部と取付リングにより取付部と結合するフレームを有する従来技術の遊動ガイドは、フレームに加えられる横方向の力に抵抗する十分な回転防止強度を有せず、ユーザーがフレームに加える不注意な衝撃、または釣り場所での岩または地面がフレームに加える衝撃により、管状竿を中心として容易に回転することができる。従来技術の遊動ガイドは、管状竿を中心とした回転に抵抗する回転防止強度が大きくなるように設計されていない。【０００８】
振出式釣り竿は、水辺、浜、磯等での釣りのために用いられる。磯釣りのための振出式釣り竿は、４．５ｍ〜５．５ｍの全長を有することができ、このような振出式釣り竿には、一般に１０個〜１５個の遊動ガイドが取り付けられることができる。仕掛けのキャストを円滑にするために、または魚を容易に釣り上げるためには、軽量の釣り竿が有利であり、このためには、軽量の遊動ガイドが振出式釣り竿に要求される。しかし、金属製の取付リングを有する金属製のフレームにより、従来技術の遊動ガイドは軽量化に応じることができない。【０００９】
従来技術の遊動ガイドでは、取付リングを有する金属製のフレームとプラスチック製の取付部とがそれぞれ別個に製造されるため、取付リングを取付部に組み立てる工程が必ず行われなければならない。取付リングと取付部との間の寸法の不一致が発生したり、取付リングと取付部との間に塗布された接着剤の量が不十分な場合、取付リングを有するフレームが取付部に対して回転する不良が遊動ガイドに発生する可能性が高い。【００１０】
また、従来技術の遊動ガイドでは、フレームに取付リングを形成する工程と、取付リングを取付部に組み立てる工程が必ず行われなければならない。これにより、遊動ガイドを製造するための工程の数が過大になり、効率のよい製造が達成されることができず、製造された遊動ガイドに不良が多く発生する。【００１１】
振出式釣り竿の管状竿は、釣り竿の先端に行くほど減少する外径を有する。多数の遊動ガイドが振出式釣り竿に設けられる場合、このような多数の遊動ガイドの取付部は、管状竿の多様な外径に対応するようにそれぞれ異なる内径を有しなければならない。従って、フレームの取付リングと取付部との間の嵌合によってフレームと取付部とが結合される従来技術の遊動ガイドでは、直径がそれぞれ異なる取付リングを有する多数のフレームが製造されなければならず、それぞれのフレームを加工するための多数の金型が用いられなければならない。これにより、フレーム加工のための金型の数及び金型費用が過大である。【００１２】
開示された実施例は、前述の従来技術の問題のうち、少なくとも一部を解決した釣り糸ガイド及び釣り糸ガイドの製造方法を提供する。
【課題を解決するための手段】
【００１３】
一実施例によると、取付部と嵌合される取付リングを備えないため軽量を有する釣り糸ガイド及びその製造方法が提供される。一実施例によると、製造工程の数、要求される金型の数及び製造費用を減少させた釣り糸ガイド及びその製造方法が提供される。一実施例によると、回転防止強度、曲げ強度等に優れた釣り糸ガイド及びその製造方法が提供される。一実施例によると、向上した回転防止強度と曲げ強度を有して釣り糸の糸絡みを円滑に解除することができる釣り糸ガイド及びその製造方法が提供される。【００１４】
開示された実施例の一側面は、釣り糸を案内するガイドリングを有して釣り竿の管状竿に取り付けられる釣り糸ガイドの製造方法に関連する。一実施例において、釣り糸ガイドの製造方法は、ガイドリングを保持及び支持するリングサポートを加工する段階と、管状竿の外周面と嵌合される内周面を有する環状の取付部を射出成形する段階とを含む。リングサポートは、金属製の薄板からなる。リングサポートは、ガイドリングを保持するリング保持部と、リング保持部と一体に形成されるリング支持部とを含む。リング支持部は、管状竿に向かう下方方向にリング支持部の下端まで延長する第１曲げ部を基準として、第１曲げ角で曲げられている。取付部は、第１曲げ部の下側一部を含むリング支持部の下側一部が取付部に埋め込まれるように、リングサポートをインサートとして用いて、樹脂材料によって射出成形される。【００１５】
一実施例において、取付部をなす樹脂材料は、カーボン長繊維強化樹脂である。
一実施例において、リングサポートを加工する段階は、金属シートにガイドリングが結合される貫通孔を形成する段階と、金属シートに第１曲げ部が形成されるように金属シートをベンディングする段階と、金属シートからリングサポートをブランキングする段階とを含む。【００１６】
一実施例において、リングサポートのリング保持部は、リング保持部とリング支持部との間の境界となって第１曲げ部に連結されリングサポートの一側端から他側端まで延長しリングサポートの下端に凸な第２曲げ部を基準として、リング支持部に対して第２曲げ角で曲げられる。金属シートをベンディングする段階は、金属シートに第２曲げ部が形成されるように金属シートをベンディングする段階を含む。【００１７】
一実施例において、リングサポートを加工する段階は、金属シートをベンディングする段階の前に、リング支持部に位置し第１曲げ部に対して対称にリング支持部を貫通して形成された一対の第１開口を金属シートに形成する段階を含む。第１開口は、取付部を射出成形する段階により取付部をなす樹脂材料で満たされる。【００１８】
一実施例において、貫通孔を形成する段階は、貫通孔の全周を金属シートから突出させることにより、内周面でガイドリングが嵌合される補強フランジを形成する段階を含む。【００１９】
一実施例において、貫通孔を形成する段階は、補強フランジの内周面に、ガイドリングの外周面と接触する複数の嵌合突起を形成する段階を含む。【００２０】
開示された実施例のもう１つの側面は、リングサポートと環状の取付部とを含む釣り糸ガイドの製造に用いられる射出成形装置に関連する。一実施例において、取付部は硬化した樹脂材料からなり、釣り竿の管状竿の外周面と嵌合される内周面を有する。リングサポートは、金属製の薄板からなる。リングサポートは、釣り糸を案内するガイドリングを保持するリング保持部と、リング保持部と一体に形成され、管状竿に向かう下方方向における端部まで延長する第１曲げ部を基準として、第１曲げ角で曲げられているリング支持部を有する。一実施例の射出成形装置は、上型と、下型と、エジェクターとを含む。上型は、取付部の一部を射出成形するように形成された第１成形空洞を有する。下型は、第２成形空洞とインサートシートを有する。第２成形空洞は、取付部の残りの一部を射出成形するように形成される。リングサポートは、インサートシートに安着して固定される。インサートシートは、第１曲げ部の一部を含むリング支持部の一部が第２成形空洞内に挿入されるように、第２成形空洞から延長して形成される。エジェクターは、射出成形された取付部を下型から分離させる。【００２１】
一実施例において、エジェクターはエジェクタースリーブを含み、エジェクタースリーブは射出成形された取付部の環状の表面と面接触で接触する環状のエジェクティング面を有する。【００２２】
開示された実施例のさらに他の側面は、釣り竿の管状竿に取り付けられて釣り糸を案内する釣糸ガイドに関連する。一実施例において、釣り糸ガイドは、管状竿に取り付けられる環状の取付部と、釣り糸が通るガイドリングと、金属製の薄板からなるリングサポートとを含む。取付部は、硬化した樹脂材料からなり、管状竿の外周面と嵌合される内周面を有する。リングサポートは、ガイドリングが結合されるリング保持孔を有するリング保持部と、リング保持部と一体に形成され、取付部と部分的に結合されるリング支持部とを含む。リング支持部は、リング支持部内で管状竿に向かう下方方向にリング支持部の下端まで延長する第１曲げ部を基準として、第１曲げ角で曲げられている。第１曲げ部の下側一部を含むリング支持部の下側一部が取付部に埋め込まれるように、リングサポートをインサートとして用いて、取付部をなす樹脂材料の射出成形によって、リングサポートと取付部が部分的に結合されている。【００２３】
一実施例において、硬化した樹脂材料は、カーボン長繊維強化樹脂を含む。
一実施例において、取付部は内周面に、取付部の周方向に配列されて三角形の横断面の形状を有し管状竿の外周面と密着する複数のセレーションを含む。【００２４】
一実施例において、リングサポートは、取付部の内側でリング支持部に位置し第１曲げ部に対して対称にリング支持部を貫通して形成された一対の第１開口を有する。第１開口は、取付部をなす硬化した樹脂材料で満たされる。【００２５】
一実施例において、取付部は、上端に位置して外側半径方向に突出する上方リブと、取付部の中心より下に位置して外側半径方向に突出する一対の側方リブとを含む。上方リブ及び一対の側方リブは、釣り竿のバットに向かう後方方向に取付部の後端面まで延長し、取付部の後端面が上方リブの後端面と一対の側方リブの後端面とを含む。【００２６】
一実施例において、上方リブは、上方リブの後端面から釣り竿のチップに向かう前方方向に拡大される幅を有する。【００２７】
一実施例において、取付部は、釣り竿のチップに向かう前方方向に位置してリング支持部の下側一部が埋め込まれる大外径部と、大外径部に隣接して大外径部より小さい外径を有する小外径部とを含む。【００２８】
一実施例において、リング保持部は、リング保持部とリング支持部との間の境界となり第１曲げ部に連結される第２曲げ部を基準として、リング支持部に対して釣り竿のチップに向かって第２曲げ角で曲げられている。第２曲げ部は、リングサポートの一側端から他側端まで延長し、リング支持部の下端に向かって凸である。【００２９】
一実施例において、リングサポートの各側端縁は、取付部から上方方向に延長して互いに遠くなるように傾斜した一対の第１側端縁と、一対の第１側端縁から上方方向に第１側端縁の傾斜角度と異なる角度でそれぞれ延長する第２側端縁と、一対の第１側端縁のそれぞれと一対の第２側端縁のそれぞれとの間にそれぞれ位置する一対の境界部と、を含む。一対の境界部は、第２曲げ部の両端点にまたは第２曲げ部の両端点より上側に位置する。
【発明の効果】
【００３０】
一実施例によると、リングサポートは、金属製の薄板からなり、このようなリングサポートの一部が硬化した樹脂材料からなる取付部に埋め込まれる方式でリングサポートと取付部が部分的に結合されて、軽量である釣り糸ガイドを実現する。また、一実施例によると、リングサポートの一部が取付部に埋め込まれるように、リングサポートをインサートとして用いて、樹脂材料によって取付部を射出成形するため、釣り糸ガイドの製造工程の数、製造に要求される金型の数及び製造費用を減少させる。また、一実施例によると、リングサポートに曲げ部が提供されるため、釣り糸ガイドの回転防止強度、曲げ強度が向上する。また、一実施例によると、曲げ部を有するリングサポートは、釣り糸の糸絡みを円滑に解除することができる。
【図面の簡単な説明】
【００３１】
【図１】本開示の一実施例による釣り糸ガイドを備える釣り竿の一例を示す図である。
【図２】本開示の第１実施例による釣り糸ガイドを示す斜視図である。
【図３】図２に示す釣り糸ガイドの分解斜視図である。
【図４】図２に示す釣り糸ガイドの平面図である。
【図５】図２に示す釣り糸ガイドの右側面図である。
【図６】図２の６−６線に沿ってとった釣り糸ガイドの断面図である。
【図７】図３に示すリングサポートを示す斜視図である。
【図８】図７の８−８線に沿ってとったリングサポートの断面図である。
【図９】図７に示すリングサポートを示す右側面図である。
【図１０】図７に示すリングサポートを示す背面図である。
【図１１】本開示の第２実施例による釣り糸ガイドを示す斜視図である。
【図１２】図１１に示す釣り糸ガイドの右側面図である。
【図１３】図１１に示す釣り糸ガイドの背面図である。
【図１４】図１１に示す釣り糸ガイドの正面図である。
【図１５】図１１に示すリングサポートを示す斜視図である。
【図１６】図１１の１６−１６線に沿ってとった断面図である。
【図１７】本開示の第３実施例による釣り糸ガイドを示す斜視図である。
【図１８】図１７に示すリングサポートを示す斜視図である。
【図１９】図１７に示す釣り糸ガイドの右側面図である。
【図２０】図１７の２０−２０線に沿ってとった断面図である。
【図２１】ガイドリングとリングサポートを示す縦断面図である。
【図２２Ａ】一実施例による釣り糸ガイドに釣り糸の糸絡みが発生する例を示す図である。
【図２２Ｂ】一実施例による釣り糸ガイドに釣り糸の糸絡みが発生する例を示す図である。
【図２２Ｃ】一実施例による釣り糸ガイドに釣り糸の糸絡みが発生する例を示す図である。
【図２２Ｄ】一実施例による釣り糸ガイドに釣り糸の糸絡みが発生する例を示す図である。
【図２２Ｅ】一実施例による釣り糸ガイドに釣り糸の糸絡みが発生する例を示す図である。
【図２２Ｆ】一実施例による釣り糸ガイドに釣り糸の糸絡みが発生する例を示す図である。
【図２２Ｇ】一実施例による釣り糸ガイドで釣り糸の糸絡みが解除される例を示す図である。
【図２２Ｈ】糸絡みが解除され得ない比較例によるリングサポートを示す図である。
【図２３】本開示の第４実施例による釣り糸ガイドを示す背面図である。
【図２４】図２３の２４−２４線に沿ってとった断面図である。
【図２５】本開示の第５実施例による釣り糸ガイドを示す斜視図である。
【図２６】図２５に示す釣り糸ガイドの正面図である。
【図２７】第５実施例による釣り糸ガイドの変形例を示す正面図である。
【図２８Ａ】図２５に示す釣り糸ガイドでの糸絡みの発生の例を示す図である。
【図２８Ｂ】図２５に示す釣り糸ガイドでの糸絡みの発生の例を示す図である。
【図２８Ｃ】図２５に示す釣り糸ガイドでの糸絡みの発生の例を示す図である。
【図２８Ｄ】図２５に示す釣り糸ガイドでの糸絡みの発生の例を示す図である。
【図２８Ｅ】図２５に示す釣り糸ガイドでの糸絡みの発生の例を示す図である。
【図２８Ｆ】図２５に示す釣り糸ガイドでの糸絡みの解除の例を示す図である。
【図２８Ｇ】図２５に示す釣り糸ガイドでの糸絡みの解除の例を示す図である。
【図２８Ｈ】図２５に示す釣り糸ガイドでの糸絡みの解除の例を示す図である。
【図２８Ｉ】図２５に示す釣り糸ガイドでの糸絡みの解除の例を示す図である。
【図２８Ｊ】図２５に示す釣り糸ガイドでの糸絡みの解除の例を示す図である。
【図２８Ｋ】糸絡みが解除され得ない比較例による釣り糸ガイドを示す図である。
【図２９】本開示の第１実施例による釣り糸ガイドの製造方法の段階を示すブロック図である。
【図３０Ａ】図２９に示す段階で行われる具体的な例を示す図である。
【図３０Ｂ】図２９に示す段階で行われる具体的な例を示す図である。
【図３０Ｃ】図２９に示す段階で行われる具体的な例を示す図である。
【図３０Ｄ】図２９に示す段階で行われる具体的な例を示す図である。
【図３０Ｅ】図２９に示す段階で行われる具体的な例を示す図である。
【図３１】本開示の第２実施例による釣り糸ガイドの製造方法の段階を示すブロック図である。
【図３２Ａ】図３１に示す段階で行われる具体的な例を示す図である。
【図３２Ｂ】図３１に示す段階で行われる具体的な例を示す図である。
【図３２Ｃ】図３１に示す段階で行われる具体的な例を示す図である。
【図３２Ｄ】図３１に示す段階で行われる具体的な例を示す図である。
【図３２Ｅ】図３１に示す段階で行われる具体的な例を示す図である。
【図３２Ｆ】図３１に示す段階で行われる具体的な例を示す図である。
【図３３】本開示の第３実施例による釣り糸ガイドの製造方法の段階を示すブロック図である。
【図３４Ａ】図３３に示す段階で行われる具体的な例を示す図である。
【図３４Ｂ】図３３に示す段階で行われる具体的な例を示す図である。
【図３４Ｃ】図３３に示す段階で行われる具体的な例を示す図である。
【図３４Ｄ】図３３に示す段階で行われる具体的な例を示す図である。
【図３４Ｅ】図３３に示す段階で行われる具体的な例を示す図である。
【図３４Ｆ】図３３に示す段階で行われる具体的な例を示す図である。
【図３４Ｇ】図３３に示す段階で行われる具体的な例を示す図である。
【図３５】本開示の第４実施例による釣り糸ガイドの製造方法の段階を示すブロック図である。
【図３６Ａ】図３５に示す段階で行われる具体的な例を示す図である。
【図３６Ｂ】図３５に示す段階で行われる具体的な例を示す図である。
【図３６Ｃ】図３５に示す段階で行われる具体的な例を示す図である。
【図３６Ｄ】図３５に示す段階で行われる具体的な例を示す図である。
【図３６Ｅ】図３５に示す段階で行われる具体的な例を示す図である。
【図３６Ｆ】図３５に示す段階で行われる具体的な例を示す図である。
【図３６Ｇ】図３５に示す段階で行われる具体的な例を示す図である。
【図３６Ｈ】図３５に示す段階で行われる具体的な例を示す図である。
【図３６Ｉ】図３５に示す段階で行われる具体的な例を示す図である。
【図３７】釣り糸ガイドの製造に用いられる射出成形装置を概略的に示す図である。
【図３８】図３７に示す下型を示す平面図である。
【図３９】図３７に示す下型の一部を示す斜視図である。
【図４０】コアピンとエジェクタースリーブを示す斜視図である。
【図４１】コアピン、エジェクタースリーブ及び射出成形された取付部を示す斜視図である。
【図４２】エジェクタースリーブにより行われるエジェクティング動作を例示する。
【発明を実施するための形態】
【００３２】
本開示の実施例は、本開示の技術的思想を説明する目的で例示されたものである。本開示による権利範囲が、以下に提示される実施例やこれらの実施例に関する具体的説明で限定されるものではない。
【００３３】
本開示に用いられる全ての技術的用語及び科学的用語は、異なって定義されない限り、本開示が属する技術分野で通常の知識を有する者に一般に理解される意味を有する。本開示に用いられる全ての用語は、本開示をさらに明確に説明する目的で選択されたものであって、本開示による権利範囲を制限するために選択されたものではない。
【００３４】
本開示で用いられる「含む」、「備える」、「有する」などのような表現は、当該表現が含まれる語句または文章で異なって言及されない限り、他の実施例を含む可能性を内包する開放型用語（ｏｐｅｎ−ｅｎｄｅｄ  ｔｅｒｍｓ）と理解されるべきである。
【００３５】
本開示で記述された単数型の表現は、異なって言及しない限り、複数型の意味を含み得、これは請求の範囲に記載された単数型の表現にも同様に適用される。
【００３６】
本開示で用いられる「第１」、「第２」などの表現は、複数の構成要素を相互に区分するために用いられ、当該構成要素の順序または重要度を限定するものではない。
【００３７】
本開示で、ある構成要素が他の構成要素に「連結されて」いたり、「接続されて」いると言及された場合、前記ある構成要素が前記他の構成要素に直接的に連結され得たり、接続され得るものとして、または新たな他の構成要素を介して連結され得たり、接続され得るものとして理解されるべきである。
【００３８】
本開示で用いられた「前方」、「前」などの方向指示語は、釣り竿のチップ（ｔｉｐ）に向かう方向を意味し、「後方」、「後」などの方向指示語は、釣り竿のバット（ｂｕｔｔ）に向かう方向を意味する。また、本開示で用いられた「上方」、「上」などの方向指示語は、ガイドリングが取付部に対して位置する方向を基準とし、「下方」、「下」などの方向指示語は、上方の反対方向を意味する。
【００３９】
以下、添付の図面を参照し、実施例を説明する。添付の図面で、同一または対応する構成要素には同一の参照符号が付与されている。また、以下の実施例の説明において、同一または対応する構成要素を重複して記述することが省略され得る。しかし、構成要素に関する記述が省略されても、そのような構成要素がある実施例に含まれないものと意図されるものではない。また、開示された製造方法の実施例は、図面に示す段階の一部または全部を含むことができる。図面に示す段階は順次行われることができるか、図面に示す段階の少なくとも２つ以上の段階が同時に行われることができるか、図面に示す段階の１つの段階が他の段階に従属して行われることができる。
【００４０】
以下に説明される実施例と添付の図面に示す例は、釣り糸を案内するガイドリングを有して釣り竿の管状竿に取り付けられる釣り糸ガイド、このような釣り糸ガイドの製造方法及びこのような釣り糸ガイドの製造に用いられる射出成形装置に関連する。実施例による釣り糸ガイドは、ここに開示された製造方法の実施例の１つによって製造され得るものの、実施例による釣り糸ガイドが必ずしも開示された製造方法の実施例の１つによって製造されなければならないものと意図されるものではない。
【００４１】
図１は、本開示の一実施例による釣り糸ガイドを備える釣り竿の一例を示す。図１で、矢印（ＴＤ）は、釣り竿のチップ（ｔｉｐ）１０１に向かう前方方向を指し、矢印（ＢＤ）は、釣り竿のバット（ｂｕｔｔ）１０２に向かう後方方向を指す。図１に示す釣り竿１００は、当該分野で振出式（ｔｅｌｅｓｃｏｐｉｃ）釣り竿として参照され得る。図１に示す釣り竿１００は、水辺、浜、船上、磯等での釣りのために用いられるものの、釣り竿１００の使用場所が前述の場所に限定されるものではない。
【００４２】
図１を参照すると、釣り竿１００は、長い円筒状の竿体１１０を含む。竿体１１０は、釣り竿１００に作用する種々の外力に抵抗して、釣り竿１００の形状を維持する構造物として機能する。竿体１１０は、複数の管状竿１１１，１１２，１１３，１１４，１１５を含む。１つの管状竿が、その次に位置し、それより大きい外径を有する管状竿の内部に嵌められるテレスコピック（ｔｅｌｅｓｃｏｐｉｃ）方式で複数の管状竿が結合して、竿体１１０を構成する。図１は、拡張された釣り竿１００の竿体１１０を示す。竿体１１０の管状竿のうち、釣り竿１００の後端に位置する管状竿１１１は、ユーザーが握り得る元竿として機能する。管状竿１１１にはリールシート１２０が取り付けられ、リールシート１２０には釣り糸（図示せず）を放出したり巻くためのリール（図示せず）が除去可能に取り付けられる。
【００４３】
釣り竿１００は、竿体１１０に複数の釣り糸ガイドを備える。釣り糸ガイドは、仕掛けをキャストする際にリールから放出されたり、魚を釣り上げる際にリールに巻かれる釣り糸を案内する。前記複数の釣り糸ガイドとして、開示された種々の実施例のいずれか１つによる釣り糸ガイドが用いられる。いずれか１つの実施例による１つ以上の釣り糸ガイドが、竿体１１０の管状竿１１１，１１２，１１３，１１４，１１５の１つに取り付けられることができる。
【００４４】
図１に示すように、竿体１１０の管状竿１１３が釣り糸ガイド１０００の環状の取付部を貫通して、釣り糸ガイド１０００が竿体１１０に取り付けられる。釣り糸ガイド１０００が竿体１１０に取り付けられる前に、釣り糸ガイド１０００はその取付部で、竿体１１０に沿って前方方向（ＴＤ）または後方方向（ＢＤ）にスライド可能であり、竿体１１０に対して回転可能である。竿体１１０の管状竿１１３は、前方方向（ＴＤ）に外径が小さくなるテーパ状をとる。従って、釣り糸ガイド１０００を後方方向（ＢＤ）に移動させるにつれて、釣り糸ガイド１０００の取付部が管状竿１１３の外周面と締まり嵌めで結合することにより、釣り糸ガイド１０００が竿体１１０に取り付けられ得る。実施例による釣り糸ガイドは、当該分野において「遊動ガイド」または「スライディングガイド」として参照され得る。
【００４５】
本開示の第１実施例による釣り糸ガイドの説明のために、図２〜図１０に示す例が参照される。図２は、第１実施例による釣り糸ガイドを示す斜視図である。図３は、図２に示す釣り糸ガイドの分解斜視図である。図４は、図２に示す釣り糸ガイドの平面図である。図５は、図２に示す釣り糸ガイドの右側面図である。図６は、図２の６−６線に沿ってとった釣り糸ガイドの断面図である。図７は、図３に示すリングサポートを示す斜視図である。図８は、図７の８−８線に沿ってとったリングサポートの断面図である。図９及び図１０はそれぞれ、図７に示すリングサポートの右側面図及び背面図である。
【００４６】
図２を参照すると、釣り糸ガイド１０００は、釣り竿の竿体１１０（詳細には、竿体１１０を構成する管状竿の１つ）に取り付けられる取付部１１００と、釣り糸１３０が通過するガイドリング１２００と、ガイドリング１２００を保持及び支持して取付部１１００と部分的に結合されるリングサポート１３００とを含む。
【００４７】
一実施例において、取付部１１００は、リングサポート１３００をインサートとして用いて、樹脂材料を射出材料として用いるインサート射出成形によって形成され得る。これにより、取付部１１００は、硬化した樹脂材料からなり、リングサポート１３００は、取付部１１００と部分的に且つ一体に結合する。前記硬化した樹脂材料は、カーボン繊維強化樹脂材料を含むことができる。さらに詳細には、前記硬化した樹脂材料は、カーボン長繊維強化樹脂材料を含むことができる。
【００４８】
図２及び図３に示すように、取付部１１００は、環状の形状を有する環状体として形成され、竿体１１０の管状竿の１つ（例えば、管状竿１１３）が取付部１１００を貫通することができる。取付部１１００には、管状竿１１３が貫通するボア１１１１が釣り竿の中心軸（ＣＡ１）に沿って貫通している。これにより、取付部１１００は、管状竿１１３の外周面と嵌合される内周面１１１２を有し、内周面１１１２は、ボア１１１１の表面になる。ボア１１１１の直径は、前方方向（ＴＤ）または後方方向（ＢＤ）に均一であってもよい。管状竿１１３がボア１１１１を貫通した状態で、取付部１１００は管状竿１１３に沿ってスライド可能であり、管状竿１１３に対して回転することができる。管状竿１１３は、前方方向（ＴＤ）に細くなるテーパ状を有する。従って、取付部１１００を後方方向（ＢＤ）に移動させる途中、管状竿１１３の外径と内周面１１１２の直径が略同一となる位置で、取付部１１００は管状竿１１３の外周面と嵌合され得る。この時、取付部１１００を後方方向（ＢＤ）にさらに移動させると、取付部１１００が若干変形されながら、取付部１１００は管状竿１１３に堅固に嵌合されて固定され得る。
【００４９】
一実施例において、図３及び図４に示すように、取付部１１００は、釣り竿のチップに向かう前方方向（ＴＤ）に位置して外径が相対的に大きい大外径部１１１３と、後方方向（ＢＤ）に位置して大外径部１１１３より小さい外径を有し大外径部１１１３に隣接する小外径部１１１４とを有する。大外径部１１１３での取付部１１００の半径方向厚さは、小外径部１１１４での取付部１１００の半径方向厚さより大きい。図４に示すように、大外径部１１１３の前方方向（ＴＤ）の表面が、取付部１１００の環状の前端面１１１５を形成し、小外径部１１１４の後方方向（ＢＤ）の表面が取付部１１００の環状の後端面１１１６を形成する。
【００５０】
一実施例において、図３に示すように、大外径部１１１３には、大外径部１１１３の一部の周りにわたって延長し、外側半径方向に突出する結合部１１１７が形成されている。結合部１１１７には、その外面に結合部１１１７とリングサポート１３００との間の境界となる結合口１１１８が形成されている。リングサポート１３００の下側一部が大外径部１１１３の結合部１１１７に埋め込まれて、リングサポート１３００が大外径部１１１３と部分的に結合される。
【００５１】
図２及び図３に示すように、ガイドリング１２００は、略円形のリング状を有する。釣り糸１３０は、ガイドリング１２００の内周面と接触することができる。ガイドリング１２００は、リングサポート１３００に嵌合及び接着剤塗布により結合され得る。ガイドリング１２００は、セラミック材料からなることができる。
【００５２】
図２及び図３に示すように、リングサポート１３００はガイドリング１２００を保持し、取付部１１００に対してガイドリング１２００を支持する。一実施例において、リングサポート１３００は、ステンレススチール、ステンレス合金、チタン合金、純チタンなどの金属材料で製造された薄板からなる。リングサポート１３００は、その中に形成された曲げ部によりリングサポート１３００を構成する部分が互いに対して折り曲げられたり、湾曲している薄板として形成されている。また、リングサポート１３００は、前記金属材料の１つからなる薄い金属シート（当該分野で、このような金属シートはブランク（ｂｌａｎｋ）として参照され得る）をパンチング、ブランキング、ベンディングのようなプレス加工によりリングサポート１３００の前記薄板に加工することで形成され得る。
【００５３】
一実施例において、リングサポート１３００は、ガイドリング１２００を保持するリング保持部１３１０と、リング保持部１３１０を介してガイドリング１２００を支持するリング支持部１３２０とを含む。リングサポート１３００を構成する薄板において、リング支持部１３２０はリング保持部１３１０と一体に形成される。図２及び図３に示すように、リングサポート１３００は、取付部１１００により管状竿１１３の外周面に対して位置する。リングサポート１３００、リング支持部１３２０の下側一部が取付部１１００内に埋め込まれる方式で、取付部１１００と部分的に結合される。例えば、取付部１１００を成形するための成形空洞にリング支持部１３２０の下側一部が挿入されるようにリングサポート１３００をインサートとして成形空洞に配置し、取付部１１００を構成する樹脂材料（例えば、カーボン長繊維強化樹脂材料）によって取付部１１００を射出成形することにより、リング支持部１３２０の下側一部が取付部１１００の結合部１１１７内に埋め込まれながら、リングサポート１３００が取付部１１００と部分的に結合され得る。
【００５４】
図３に示すように、リング保持部１３１０は、ガイドリング１２００が結合されるリング保持孔１３１１を有する。リング保持孔１３１１は、リング保持部１３１０にリング保持部１３１０の厚さ方向に貫通している。リング保持孔１３１１は、ガイドリング１２００の外周面に合わせられるように円形の内周面を有する。ガイドリング１２００は、その外周面でリング保持孔１３１１の内周面に嵌合され、点接触、面接触などによりリング保持孔１３１１の内周面と結合され得る。また、リング保持孔１３１１の内周面とガイドリング１２００の外周面との間には、これらを接着させるための接着剤が塗布されてもよい。リング保持部１３１０は、リング保持孔１３１１によりガイドリング１２００の全周に沿ってガイドリング１２００を保持するように略環状をとる。
【００５５】
図３に示すように、リング保持部１３１０の上側縁は、半円形状または略半円形状を有することができる。前方方向（ＴＤ）及び上方方向（ＵＤ）に垂直な釣り糸ガイドの幅方向（ＷＤ）を仮定すると、リング保持部１３１０の幅方向（ＷＤ）での側端縁は互いに平行であるか、またはほぼ平行であってもよい。またはリング保持部１３１０の幅方向（ＷＤ）での両側縁は、上方方向（ＵＤ）に互いに近くなることができる。リング保持部１３１０の下端縁は、下方方向（ＬＤ）に凸なＶ字状を取り、リング保持部１３１０はその下端縁でリング支持部１３２０と一体に連結される。従って、リングサポート１３００は、リング保持部１３１０とリング支持部１３２０との間に開口や空洞を備えない。リング保持部１３１０の下端縁の形状に対応し、リング支持部１３２０の上端縁は、下方方向（ＬＤ）に凸なＶ字状を取り、リング支持部１３２０はその上端縁でリング保持部１３１０と一体に連結される。
【００５６】
図２及び図３に示すように、リング支持部１３２０は、その下側一部で取付部１１００内に埋め込まれている。リング支持部１３２０の幅方向（ＷＤ）での側端縁は、上方方向（ＵＤ）に互いに近くなることができる。または、リング支持部１３２０の幅方向（ＷＤ）での側端縁は、互いに平行であってもよい。リング支持部１３２０の下端縁は、上方方向（ＵＤ）に凸な円弧状を有する。図４に示すように、リング支持部１３２０の幅方向（ＷＤ）での両側面は互いに平行であり、また釣り竿の中心軸（ＣＡ１）と平行である。即ち、リング支持部１３２０の各側面から側面に平行に延長する仮想の延長線（ＥＬ）が中心軸（ＣＡ１）と平行である。
【００５７】
一実施例において、リングサポート１３００は、リング支持部１３２０内に形成された第１曲げ部１３３１を有する。第１曲げ部１３３１は、幅方向（ＷＤ）でリング支持部１３２０の中央に、または略中央に位置する。リング支持部１３２０は、第１曲げ部１３３１を基準として、釣り竿のチップに向かう方向（例えば、前方方向（ＴＤ））または釣り竿のバットに向かう方向（例えば、後方方向（ＢＤ））に曲げられ得る。
【００５８】
この実施例において、リング支持部１３２０は、第１曲げ部１３３１を基準として、釣り竿のチップに向かう方向（例えば、前方方向（ＴＤ））に曲げられている。これにより、図３に示すように、リング支持部１３２０は、対称形状に形成された右半部１３２１と左半部１３２２を有する。右半部１３２１と左半部１３２２は、第１曲げ部１３３１を介して一体になっており、前方方向（ＴＤ）に互いに向かうように傾いている。
【００５９】
図３及び図４に示すように、第１曲げ部１３３１は、管状竿１１３に向かう、またはボア１１１１の中心を通過する下方方向（ＬＤ）にリング支持部１３２０の下端まで延長し、第１曲げ部１３３１の上端は結合部１１１７の外側に位置する。また、幅方向（ＷＤ）でリング支持部１３２０の下端縁の両端間の間隔は、取付部１１００のボア１１１１の直径より小さく、リング支持部１３２０の下端縁の両端は取付部１１００の結合部１１１７内に位置する。
【００６０】
一実施例において、図２及び図３を参照すると、取付部１１００に埋め込まれるリングサポート１３００の下側一部は、第１曲げ部１３３１の下側一部を含むリング支持部１３２０の下側一部である。このようなリングサポート１３００の下側一部が大外径部１１１３の結合部１１１７内に埋め込まれる。
【００６１】
一実施例において、図３に示すように、リングサポート１３００は、リング保持部１３１０とリング支持部１３２０との間の境界となる第２曲げ部１３３２を有する。第２曲げ部１３３２は、概ねその中央で第１曲げ部１３３１に連結される。リング保持部１３１０は、第２曲げ部１３３２を基準として、リング支持部１３２０に対して釣り竿のチップに向かう方向（例えば、前方方向（ＴＤ））または釣り竿のバットに向かう方向（例えば、後方方向（ＢＤ））に曲げられ得る。この実施例において、リング保持部１３１０は、第２曲げ部１３３２を基準として、釣り竿のチップに向かう方向（例えば、前方方向（ＴＤ））に曲げられている。
【００６２】
一実施例において、図３に示すように、リングサポート１３００は、リング支持部１３２０の右半部１３２１と左半部１３２２にそれぞれ形成された一対の第１開口１３５１を有する。第１開口１３５１は、リング支持部１３２０を釣り竿の中心軸（ＣＡ１）に沿って厚さ方向に貫通して形成されており、第１曲げ部１３３１に対して対称に形成されている。また、第１開口１３５１は、取付部１１００の結合部１１１７の内側でリング支持部１３２０に位置する。前述のインサート射出成形時に、取付部１１００を構成する樹脂材料が第１開口１３５１に流入して第１開口１３５１内で硬化する。即ち、第１開口１３５１は、硬化した取付部１１００の樹脂材料で満たされる。これにより、取付部１１００とリングサポート１３００との間の結合構造が補強され、釣り糸ガイド１０００の強度が向上する。また、リングサポート１３００が取付部１１００の結合部１１１７に対して回転したり、結合部１１１７から分離されることが防止される。
【００６３】
一実施例において、図３及び図４に示すように、リングサポート１３００は、リング支持部１３２０の右半部１３２１と左半部１３２２にそれぞれ形成され、第１開口１３５１の上に位置する第２開口１３５２を有する。第２開口１３５２は、リング支持部１３２０を釣り竿の中心軸（ＣＡ１）の方向に厚さ方向に貫通して形成されている。第２開口１３５２により、釣り糸ガイド１０００は、さらに軽量化され得る。
【００６４】
第２開口１３５２は、第１曲げ部１３３１に対して対称に形成され、略三角形の形状を有する。第２開口１３５２は、取付部１１００の結合部１１１７よりも外側でリング支持部１３２０に位置する。第２開口１３５２は、結合部１１１７の外側に位置するリング支持部１３２０の部分にのみ形成され、結合部１１１７の内側に埋め込まれるリング支持部１３２０の部分には形成されない。第２開口１３５２は、結合部１１１７の上側輪郭線に重ならないように形成されるため、取付部１１００とリングサポート１３００との間の結合強度を維持したままでリングサポート１３００の軽量化が達成される。また、それぞれの第２開口１３５２は、リング支持部１３２０の第１曲げ部１３３１と重ならないように位置するため、リング支持部１３２０の強度が低下しない。また、第２開口１３５２は、第２曲げ部１３３２と重ならないように位置するため、第１曲げ部１３３１と第２曲げ部１３３２が形成するリングサポート１３００の曲げ部が切断されることはなく、リングサポート１３００の強度が低下しない。
【００６５】
他の実施例において、リングサポート１３００は、第１開口１３５１と第２開口１３５２を有しないか、または第１開口１３５１と第２開口１３５２のいずれか１つのみを有することもできる。例えば、第１開口１３５１のみがリングサポート１３００に形成され得るか、または第２開口１３５２のみがリングサポート１３００に形成され得る。
【００６６】
図５及び図６に示すように、一実施例において、リングサポート１３００は、釣り竿の中心軸（ＣＡ１）または取付部１１００の中心軸（ＣＡ２）に垂直な垂直線（ＨＬ）に対して傾斜角（ＴＡ）で前方方向（ＴＤ）に傾いている。
【００６７】
一実施例による釣り糸ガイドは、向上したリングサポート１３００の曲げ強度、向上したリングサポート１３００の回転防止強度、向上したリングサポート１３００の取付強度を有する。前述の第１曲げ部と第２曲げ部によるリングサポート１３００の曲げ形状が、このような向上した強度に関連し得る。図７〜図１０を参照し、一実施例による釣り糸ガイドの前述の特徴について説明する。
【００６８】
図７〜図１０で、第１曲げ部と第２曲げ部は単に簡略な線の形状に示している。釣り糸ガイドの実施例において、第１曲げ部１３３１と第２曲げ部１３３２は、リングサポート１３００をなす金属製の薄板内で所定の曲率で湾曲した部分を含み得る。リングサポート１３００に曲げ形状を用いた強度補強構造を提供するために、第１曲げ部１３３１と第２曲げ部１３３２は、多様な幅を有することができる。一実施例において、リングサポート１３００の前面１３２３及び後面１３２４上で、第１曲げ部１３３１は、細い線の形状、狭い面の形状、狭い曲面の形状、比較的広い曲面の形状のうちいずれか１つの形状で現れ得る。また、リングサポート１３００の横断面をとる際に、第１曲げ部１３３１は、リングサポート１３００の前面１３２３及び後面１３２４上で後方方向（ＢＤ）に凸な円弧状で現れ得る。第２曲げ部１３３２は、リングサポート１３００の前面１３２３及び後面１３２４上で、細い線の形状または狭い面の形状で現れ得る。リングサポート１３００の縦断面をとる際に、第２曲げ部１３３２はリングサポート１３００の前面１３２３及び後面１３２４上で後方方向（ＢＤ）に凸な円弧状で現れ得る。
【００６９】
図７に示すように、リングサポート１３００は、リング支持部１３２０内に形成されてリング支持部１３２０を右半部１３２１と左半部１３２２に区分させる第１曲げ部１３３１を有する。第１曲げ部１３３１は、リングサポート１３００内で釣り竿の中心軸（ＣＡ１）に向かう下方方向（ＬＤ）に（または、釣り糸ガイドが取り付けられる管状竿に向かう下方方向に）リング支持部１３２０の下端まで延長する。また、第１曲げ部１３３１は、釣り竿の中心軸（ＣＡ１）から概ね上方方向（ＵＤ）に延長して、第２曲げ部１３３２の中央と合う。一実施例において、図８に示すように、リング支持部１３２０は、第１曲げ部１３３１を基準として、釣り竿のチップに向かう方向（前方方向（ＴＤ））に第１曲げ角（ＢＡ１）で曲げられている。
【００７０】
図７に示すように、リングサポート１３００は、リング保持部１３１０とリング支持部１３２０との間の境界となり、リング保持部１３１０の曲げの基準になる第２曲げ部１３３２を有する。第２曲げ部１３３２は、リングサポート１３００の一側端から他側端まで延長し、リングサポート１３００の下端（リング支持部１３２０の下端）に向かって凸である。リング保持部１３１０とリング支持部１３２０は、共通の縁を有する。これにより、リングサポート１３００において、リング保持部１３１０の下端縁とリング支持部１３２０の上端縁が、第２曲げ部１３３２を形成する。一実施例において、第２曲げ部１３３２は、下方方向（ＬＤ）に凸なＶ字状を有し、第１曲げ部１３３１の上端に連結される。また、リングサポート１３００の側方視において、第２曲げ部１３３２は、前方方向（ＴＤ）と上方方向（ＵＤ）との間の斜めの方向に傾いている。他の実施例において、第２曲げ部１３３２は、下方方向（ＬＤ）に凸な円弧状を有することができる。
【００７１】
図７に示すように、第２曲げ部１３３２は、第１曲げ部１３３１と第２曲げ部１３３２との間の連結点（図１０に示す第２曲げ部１３３２の中心点（Ｐ１））から第１曲げ部１３３１に対して鈍角で延長する一対の直線状曲げ部１３３３，１３３４を含む。図９に示すように、リング保持部１３１０は、第２曲げ部１３３２を基準として、リング支持部１３２０に対して釣り竿のチップに向かう方向（例えば、前方方向（ＴＤ））に第２曲げ角（ＢＡ２）で曲げられている。
【００７２】
一実施例において、図７に示すように、互いに合う第１曲げ部１３３１と第２曲げ部１３３２は、Ｙ字状形状を形成し、リングサポート１３００にＹ字状曲げ部を形成する。従って、リングサポート１３００は、前述の金属シート（ブランク）を第１曲げ部１３３１と第２曲げ部１３３２に沿ってプレス加工して形成され得る。詳細には、金属シート（ブランク）を、第１及び第２曲げ部１３３１、１３３２を形成し、リング支持部１３２０を第１曲げ部１３３１を基準として第１曲げ角（ＢＡ１）で曲げ、リング保持部１３１０を第２曲げ部１３３２を基準として第２曲げ角（ＢＡ２）で曲げるベンディング加工により形成され得る。従って、リングサポート１３００は、リング保持部１３１０、リング支持部１３２０の右半部１３２１及びリング支持部１３２０の左半部１３２２が互いに向かって曲げられた金属製の薄板として形成される。また、このような金属製の薄板において、リング保持部１３１０、リング支持部１３２０の右半部１３２１及びリング支持部１３２０の左半部１３２２は、Ｙ字状曲げ部をなす第１及び第２曲げ部１３３１，１３３２を介して一体に形成され、これらが第１及び第２曲げ部１３３１，１３３２により互いに向かって曲げられている。
【００７３】
また、前述の金属シートのプレス加工は、金属シートをなす金属材料が加工硬化を引き起こすまで行われることができる。従って、図７に示すように、リングサポート１３００は、前記プレス加工により前記金属材料が加工硬化されて生成する加工硬化部１３４１，１３４２を含む。加工硬化部１３４１，１３４２の形状は、第１及び第２曲げ部１３３１，１３３２のＹ字状に対応する形状を有する。加工硬化部１３４１，１３４２は、第１曲げ部１３３１と第２曲げ部１３３２に沿ってリングサポート１３００の内部に形成される。加工硬化部１３４１，１３４２は、リングサポート１３００のリング保持部１３１０及びリング支持部１３２０より高い降伏点（ｙｉｅｌｄ  ｐｏｉｎｔ）を有するため、リングサポート１３００は、加工硬化部１３４１、１３４２が生成されている第１及び第２曲げ部１３３１，１３３２で塑性変形を引き起こし難い。従って、第１及び第２曲げ部１３３１，１３３２がなすＹ字状曲げ部により、リングサポート１３００は、リングサポート１３００に加えられる外力に対して強い抵抗を有し、リングサポート１３００の強度が補強され得る。
【００７４】
図８に示すように、リング支持部１３２０は、第１曲げ角（ＢＡ１）で第１曲げ部１３３１を基準として前方方向（ＴＤ）に曲げられている。第１曲げ角（ＢＡ１）は、１２０度〜１７０度の鈍角になってもよい。第１曲げ角（ＢＡ１）が鈍角である場合、リング支持部１３２０の横風と面する面積が減少することができ、強い横風の抗力により釣り竿が撓むことを減少させることができる。第１曲げ角（ＢＡ１）が１２０度以上である場合、横風が強い場合にリング支持部１３２０に対する横風の抗力による影響を効果的に減少させることができる。また、第１曲げ角（ＢＡ１）が１２０度以上である場合、リング支持部１３２０に対して曲げられているリング保持部１３１０の広さを単純な形状で十分に確保することができる。第１曲げ角（ＢＡ１）が１７０度を超える場合、リング支持部１３２０を第１曲げ部１３３１を基準としてベンディングさせる際に、第１曲げ部１３３１に圧縮による加工硬化が発生しないことがある。その場合、リングサポート１３００を釣り竿の管状竿を中心として回転させる外力がリングサポート１３００に作用すると、折り曲げられたリング支持部１３２０が外力のベクトル方向に一直線状に変形され易く、リングサポート１３００が取付部１１００から分離され得る。
【００７５】
図８に示すように、中心軸（ＣＡ１）に沿ってリング支持部１３２０の前端のリング支持部１３２０の側端縁とリング支持部１３２０の後端（後面１３２４上の第１曲げ部１３３１）との間の距離（ベンディングされたリング支持部の厚さ）（ＢＴ）は、０．５ｍｍ〜３ｍｍになり得る。樹脂材料の取付部は弾性変形しやすく、小さい応力によっても撓みや変形を引き起こすことがある。距離（ＢＴ）が０．５ｍｍ未満である場合、リングサポート１３００を釣り竿の中心軸（ＣＡ１）を中心として回転させる方向の外力がリングサポート１３００に加えられる際に（図４及び図７での矢印（Ｆ１）参照）、リング支持部１３２０によって押される結合口１１１８の表面が変形し、リングサポート１３００に必要な反力が作用せず、リング支持部１３２０が結合口１１１８を乗り越えて移動することがある。距離（ＢＴ）が３ｍｍを超える場合、リングサポート１３００が過度に大きくなり得、釣り糸ガイドの軽量化を達成できない。また、取付部１１００から突出したリング支持部１３２０の部分が横風の影響を強く受けることがあり、釣り竿の持ち重り感が著しく悪化することがある。
【００７６】
図９に示すように、リング保持部１３１０は、リング支持部１３２０に対して第２曲げ部１３３２を基準として、第２曲げ角（ＢＡ２）で前方方向（ＴＤ）に曲げられている。リング保持部１３１０は、釣り竿１００のチップに向かって（前方方向（ＴＤ）に）リング支持部１３２０に対して第２曲げ角（ＢＡ２）で傾いている。第２曲げ角（ＢＡ２）は、リングサポート１３００の曲げ強度の向上と糸絡みの円滑な解除のために、１５度〜２０度であってもよい。
【００７７】
ユーザーによりまたは外部的な衝撃により、リングサポート１３００を管状竿１１３を中心として（釣り竿の中心軸（ＣＡ１）を中心として）回転させる外力（Ｆ１）（図４及び図７参照）がリングサポート１３００に繰り返し作用することがある。しかし、リングサポート１３００のＹ字状曲げ部により、リングサポート１３００は、管状竿１１３に横方向に作用する外力（Ｆ１）に抵抗する向上した回転防止強度を有する。
【００７８】
図８及び図９を参照すると、リング支持部１３２０は、第１曲げ部１３３１を基準として、釣り竿のチップに向かう前方方向（ＴＤ）に第１曲げ角（ＢＡ１）で曲げられている。従って、リング支持部１３２０の右半部１３２１と左半部１３２２は、第１曲げ部１３３１を基準として、中心軸（ＣＡ１）に対して鋭角に斜めに位置して互いに向かっている。リング保持部１３１０は、リング支持部１３２０と一体に形成されており、平らである。リング保持部１３１０は、第２曲げ部１３３２を基準として釣り竿のチップに向かう前方方向（ＴＤ）に第２曲げ角（ＢＡ２）で曲げられている。即ち、リング保持部１３１０は、リング支持部１３２０から第２曲げ部１３３２を介して折り曲げられている。リング保持部１３１０の下端縁とリング支持部１３２０の上端縁は、Ｖ字状の第２曲げ部１３３２として形成される。第２曲げ部１３３２のＶ字状と関連し、第２曲げ部１３３２の直線状曲げ部１３３３，１３３４が第１曲げ部１３３１の上端からリングサポート１３００の上端に向かって傾斜している。即ち、リング支持部１３２０の右半部１３２１及び左半部１３２２のそれぞれの上端縁は、リングサポート１３００の幅方向（ＷＤ）での中心からリングサポート１３００の上端に向かって傾斜している。平らなリング保持部１３１０は、右半部１３２１及び左半部１３２２のそれぞれの上端縁に第２曲げ部１３３２を介して連結されている。このように、リングサポート１３００には、第１曲げ部１３３１と第２曲げ部１３３２が形成するＹ字状曲げ部が提供されている。また、リングサポート１３００には、Ｙ字状曲げ部に沿ってＹ字状の加工硬化部１３４１、１３４２が形成されている。
【００７９】
従って、リングサポート１３００に外力（Ｆ１）が作用しても、リングサポート１３００は、リング支持部１３２０の右半部１３２１及び左半部１３２２が開かれたり、狭まる方向に変形したり、撓んだり、捩れたりすることに対して強く抵抗する。また、リングサポート１３００は、前記Ｙ字状曲げ部により、外力（Ｆ１）に強く抵抗するため、リングサポート１３００は向上した回転防止強度を有する。従って、リング支持部１３２０が取付部１１００の結合口１１１８を拡張させたり、リング支持部１３２０が取付部１１００の結合口１１１８を乗り越えて取付部１１００に対して回転したり、リング支持部１３２０が取付部１１００の結合部１１１７から抜けてしまうことが防止される。
【００８０】
リングサポート１３００には、釣り竿のチップに向かう前方方向（ＴＤ）に、または釣り竿のバットに向かう後方方向（ＢＤ）に外力（Ｆ２）（図５及び図７参照）が作用することがある。例えば、釣りの最中の釣り糸により、または外部衝撃により外力（Ｆ２）がリングサポート１３００に作用することがある。しかし、リングサポート１３００は、外力（Ｆ２）に抵抗する向上した曲げ強度を有する。リングサポート１３００のＹ字状曲げ部により、リング保持部１３１０が外力（Ｆ２）の方向に変形したり撓むこと、またはリング支持部１３２０の右半部１３２１と左半部１３２２が外力（Ｆ２）の方向に開かれたり撓むことが防止される。このように、リングサポート１３００は、外力（Ｆ２）に抵抗する向上した曲げ強度を有する。
【００８１】
曲げ強度の向上と糸絡みの円滑な解消のために、特定の寸法範囲にリングサポート１３００の各部分が形成され得る。図１０を参照すると、第２曲げ部１３３２のＶ字状での夾角（ＩＡ１）（即ち、直線状曲げ部１３３３，１３３４間の夾角）は、曲げ強度の向上と糸絡みの円滑な解除のために、１１０度〜１２０度であってもよい。リング支持部１３２０の両側端縁は互いに向かって傾くように、リング支持部１３２０はテーパ状をとってもよい。この場合、リング支持部１３２０の両側端縁がなす夾角（ＩＡ２）は、曲げ強度の向上と糸絡みの円滑な解除のために０度超３０度以下の角を有することができる。また、第２曲げ部１３３２の中心点（Ｐ１）は第２曲げ部１３３２の両端点（Ｐ２）より下に位置し、リング保持孔１３１１の最下端点（Ｐ３）は第２曲げ部１３３２の両端点（Ｐ２）より下に位置し、糸絡みの円滑な解除に寄与する。
【００８２】
第１曲げ角（ＢＡ１）、第２曲げ角（ＢＡ２）、夾角（ＩＡ１）及び夾角（ＩＡ２）が前述のそれぞれの範囲内での角度値を有するようにリングサポート１３００が形成される際に、リングサポート１３００での糸絡みが円滑に解除され得る。また、第２曲げ部１３３２の中心点（Ｐ１）、第２曲げ部１３３２の両端点（Ｐ２）及びリング保持孔１３１１の最下端点（Ｐ３）間の前述の位置関係により、リングサポート１３００での糸絡みが円滑に解除され得る。即ち、前述の範囲を逸脱する角度の値で、第１曲げ角（ＢＡ１）、第２曲げ角（ＢＡ２）、夾角（ＩＡ１）、夾角（ＩＡ２）が定められる場合、または前述の位置関係でリング保持孔１３１１と第２曲げ部１３３２が位置しない場合、糸絡みの円滑な解除が行われないことがある。一例として、一実施例のリングサポート１３００において、第１曲げ角（ＢＡ１）は１５７度と定められてもよく、第２曲げ角（ＢＡ２）は２０度と定められてもよく、夾角（ＩＡ１）は１２０度と定められてもよく、夾角（ＩＡ２）は２０度と定められてもよい。
【００８３】
前述の実施例において、リングサポート１３００は、第１曲げ部１３３１とこれに連結される第２曲げ部１３３２とを含む。他の実施例において、リングサポート１３００は、第１曲げ部１３３１のみを含むこともできる。このような実施例では、リング支持部１３２０は、第１曲げ部１３３１を基準として、第１曲げ角（ＢＡ１）で釣り竿のチップに向かって曲げられ得、リング保持部１３１０は、リング支持部１３２０から曲げなしに延長できる。
【００８４】
前述の実施例において、金属製の薄板からなるリングサポート１３００と硬化した樹脂材料からなる取付部１１００がインサート射出成形されて一体に結合されている。詳細には、第１曲げ部１３３１の下側一部及び第１開口１３５１を含むリング支持部１３２０の下側一部が大外径部１１１３の結合部１１１７内に埋め込まれる方式で、リングサポート１３００と取付部１１００が射出成形により一体に結合されている。これにより、リングサポート１３００は、取付部１１００に嵌合される取付リングのような連結部品を備えない。従って、取付部と取付リングが形成されたフレームとが結合される従来技術の釣り糸ガイドと比較して、一実施例の釣り糸ガイドは顕著に小さい重量を有し、軽量化を達成できる。
【００８５】
本開示の第２実施例による釣り糸ガイドの説明のために、図１１〜図１６に示す例が参照される。図１１は、第２実施例による釣り糸ガイドを示す斜視図である。図１２〜図１４はそれぞれ、図１１に示す釣り糸ガイドの右側面図、背面図及び正面図である。図１５は、図１１に示すリングサポートの斜視図である。図１６は、図１１の１６−１６線に沿ってとった断面図である。図１１〜図１６に示す釣り糸ガイドは、前述の実施例の釣り糸ガイド１０００と類似の構成を有し、以下では異なる構成についてのみ説明される。
【００８６】
図１１に示すように、釣り糸が通るガイドリング２２００は、上下に長い長円形状（ｏｂｌｏｎｇ  ｓｈａｐｅ）を有する。これにより、ガイドリング２２００が嵌合されるリング保持孔２３１１は、ガイドリング２２００の形状に対応するように長円形状を有する。リング保持部１３１０が釣り竿のチップに向かって前方方向（ＴＤ）に傾いているため、釣り竿のバットから釣り竿のチップに向かって釣り竿を見ると、ガイドリング２２００の内周面は略円形をとる。従って、ガイドリング２２００に釣り糸をスムーズに通すことができる十分な空間が確保され得る。
【００８７】
図１１に示すように、釣り糸ガイド２０００の取付部１１００は、その外周面に外側半径方向に突出する３つのリブ２１２０，２１３０を含む。前記３つのリブは、上方リブ２１２０と、一対の側方リブ２１３０とを含む。
【００８８】
上方リブ２１２０は、リング支持部１３２０に隣接して取付部１１００の上端に位置する。上方リブ２１２０は、結合部１１１７と小外径部１１１４にわたって形成されている。上方リブ２１２０の上面２１２２は、中心軸（ＣＡ１）に向かって傾いている。上方リブ２１２０は、釣り竿のバットに向かう後方方向（ＢＤ）にテーパされる形状を有する。これにより、上方リブ２１２０は、後方方向（ＢＤ）での後端面２１２１から釣り竿のチップに向かう前方方向（ＴＤ）に拡大される幅を有する。
【００８９】
一対の側方リブ２１３０は、取付部１１００の側端で取付部１１００の中心より下に位置する。一対の側方リブ２１３０は、大外径部１１１３と小外径部１１１４にわたって形成されている。側方リブ２１３０の幅は、上方リブ２１２０の幅より小さい。上方リブ２１２０と側方リブ２１３０との間の中心軸（ＣＡ１）に対する角度は、略１２０度となってもよいが、これに限定されるものではない。
【００９０】
図１１及び図１２に示すように、上方リブ２１２０と側方リブ２１３０は、釣り竿のバットに向かう後方方向（ＢＤ）に取付部１１００の後端面１１１６まで延長する。これにより、後方方向（ＢＤ）での上方リブ２１２０の後端面２１２１と後方方向（ＢＤ）での側方リブ２１３０の後端面２１３１は、取付部１１００の後端面１１１６と同一表面を形成する。即ち、この実施例において、後方方向（ＢＤ）での取付部１１００の後端面１１１６は、上方リブ２１２０の後端面２１２１と側方リブ２１３０の後端面２１３１を含み、上方リブ２１２０の後端面２１２１と側方リブ２１３０の後端面２１３１が取付部１１００の後端面１１１６の一部を形成する。
【００９１】
上方リブ２１２０と側方リブ２１３０により、取付部１１００の周方向での強度が向上する。上方リブ２１２０の後端面２１２１と側方リブ２１３０の後端面２１３１が、取付部１１００の後端面１１１６と同一表面に位置するため、取付部１１００を竿体１１０の管状竿に押し込む際に発生し得る、取付部１１００の後端面１１１６から発生する割れと後端面１１１６での白化を防止することができる。即ち、上方リブ２１２０と側方リブ２１３０が取付部１１００の押込強度を増加させることができる。
【００９２】
上方リブ２１２０の存在により、取付部１１００を成形する際に、取付部１１００を構成する樹脂材料が取付部１１００の成形のための成形金型内でスムーズに流動することができ、樹脂材料が合流する部分でのウェルドライン強度が補強され得る。例えば、取付部１１００の成形のための成形金型の成形表面には、上方リブ２１２０と側方リブ２１３０に対応する形状を有し、上方リブ２１２０と側方リブ２１３０の位置に対応するように位置するリブ形成部が形成され得る。前記インサート射出成形と関連し、溶融したカーボン長繊維強化樹脂材料が成形金型内に入るゲートは、取付部１１００の大外径部１１１３の最下端に位置することができる。従って、前記ゲートに流入した樹脂は２つの流れに分岐し、２つの樹脂の流れは取付部１１００の上端に流動して、取付部１１００の上端で合流することができる。取付部１１００が厚さの異なる大外径部１１１３と小外径部１１１４を有するため、大外径部１１１３と小外径部１１１４を通る樹脂の流速に差が生じる。また、上方リブ２１２０に到達する２つの樹脂の流れに時差が生じ、上方リブ２１２０の付近で、２つの樹脂の流れは方向を変えながら合流できる。また、上方リブ２１２０の前述の形状により、２つの樹脂の流れが乱れ、樹脂内のカーボン長繊維が互いに絡み合うことができる。これにより、取付部１１００の上端でのクラックなどの成形欠陥が防止され得、取付部１１００は、樹脂のウェルドラインで高い強度を有することができる。
【００９３】
取付部１１００は、下端から上方へ行くほど厚くなる半径方向厚さを有することができる。即ち、取付部１１００の半径方向の厚さは最下端で最も小さく、取付部１１００の周方向に沿って上端へ行くほど次第に増加することができる。このような取付部１１００の厚さの構成により、カーボン長繊維強化樹脂材料は、金型内部の成形空間を円滑に流動することができ、それにより、溶融樹脂の体積が不十分であるため生じる、所謂、ショートショット（Ｓｈｏｒｔ  Ｓｈｏｔ）のような成形欠陥のない取付部が成形され得る。
【００９４】
図１１に示すように、取付部１１００は、大外径部１１１３内に円弧状に凹んだ複数の凹部２１１９を有する。凹部２１１９は、ユーザーが取付部１１００を竿体１１０の管状竿の外周面に嵌め付ける際にユーザーの指に引っ掛かりを提供する。
【００９５】
本開示の第３実施例による釣り糸ガイドの説明のために、図１７〜図２１に示す例が参照される。図１７は、第３実施例による釣り糸ガイドを示す斜視図である。図１８は、図１７に示すリングサポートを示す斜視図である。図１９は、図１７に示す釣り糸ガイドの右側面図である。図２０は、図１７の２０−２０線に沿ってとった断面図である。図２１は、ガイドリングとリングサポートを示す縦断面図である。図１７〜図２１に示す釣り糸ガイドは、前述の実施例の釣り糸ガイド２０００と類似の構成を有し、以下では釣り糸ガイド２０００と比較して異なる構成についてのみ説明される。
【００９６】
図１７〜図２１を参照すると、釣り糸ガイド３０００は、さらに強い強度を有するリングサポート１３００を備える。リングサポート１３００は、強度向上のための構造物であって、リング保持部１３１０内に補強フランジ３３１２を備える。補強フランジ３３１２は、ガイドリング２２００の外形に対応するように長円形状の形状を有する。補強フランジ３３１２は、リング保持部１３１０から前方方向（ＴＤ）及び下方方向（ＬＤ）間の斜めの方向に突出する。補強フランジ３３１２は、リング保持部１３１０内に位置し、第２曲げ部１３３２から離隔されている。補強フランジ３３１２は、その最下端点が第２曲げ部１３３２の両端点より下に位置するように、リング保持部１３１０内に位置する。
【００９７】
図１８、図２０及び図２１に示すように、補強フランジ３３１２は、その内周面でリング保持孔２３１１を限定する。補強フランジ３３１２の内周面は、嵌合面３３１３と案内面３３１４を含む。嵌合面３３１３は環状に延長し、ガイドリング２２００が嵌合面３３１３に嵌合される。嵌合面３３１３は、平面に形成される。補強フランジ３３１２は、リング保持部１３１０から垂直に突出する。補強フランジ３３１２は、嵌合面３３１３の突出長さ（ＳＴ）がリング保持部１３１０の厚さ（ＲＴ）より小さくなるように、リング保持部１３１０から突出することができる。案内面３３１４は、嵌合面３３１３に繋がっている。案内面３３１４は、嵌合面３３１３に沿って環状に延長する。案内面３３１４は、嵌合面３３１３に対して湾曲しており、曲面に形成される。即ち、案内面３３１４の直径は、嵌合面３３１３に向かって縮小される。図２１に示すように、ガイドリング２２００が補強フランジ３３１２に嵌合される際に、ガイドリング２２００は、案内面３３１４から嵌合面３３１３に嵌合され得る。即ち、ガイドリング２２００の外周面が案内面３３１４に沿って嵌合面３３１３に嵌合され得る。これにより、ガイドリング２２００とリング保持部１３１０との間の嵌合の際にガイドリング２２００の外周面での割れが防止され得る。また、ガイドリング２２００と補強フランジ３３１２の嵌合面３３１３が結合される際に、接着剤が留まることのできる空間が、ガイドリング２２００の外周面と補強フランジ３３１２の案内面３３１４との間に形成され得るため、ガイドリング２２００と補強フランジ３３１２との間で強い接着強度が達成される。
【００９８】
リング保持部１３１０に形成された補強フランジ３３１２により、リングサポート１３００の曲げ強度が向上する。補強フランジ３３１２は、リングサポート１３００を成形するための金属シート内にリング保持孔２３１１の形状に対応する貫通孔を形成し、貫通孔の全周をバーリング（ｂｕｒｒｉｎｇ）することにより、形成され得る。
【００９９】
この実施例の釣り糸ガイド３０００は、リングサポート１３００に前述のＹ字状曲げ部を備えているだけでなく、リング保持部１３１０内に補強フランジ３３１２を備えて、全体的に向上した曲げ強度を有するリングサポート１３００を備える。
【０１００】
この実施例において、図１７に示すように、取付部１１００は内周面に、周方向に配列され釣り竿の中心軸（ＣＡ１）の方向に延長する複数のセレーション（ｓｅｒｒａｔｉｏｎ）３１４０を有する。セレーション３１４０の横断面の形状は、釣り竿の中心軸（ＣＡ１）に向かってとがった三角形を有する。従って、セレーション３１４０は、三角形状の頂点の部分が管状竿の外周面と密着する。この実施例において、取付部１１００は、強度の高い樹脂材料（例えば、カーボン長繊維強化樹脂）からなる。これにより、セレーション３１４０の三角形状の頂点部分での強度が高く、取付部１１００を竿体の管状竿の外周面に嵌め付ける際に、セレーション３１４０の頂点部分が嵌め付ける力により潰れたり崩れ落ちたりしない。即ち、取付部１１００の強い強度により、セレーション３１４０は、潰れることなく最初に形成された高さを維持する。セレーション３１４０の頂点部分が潰れないため、取付部１１００は、強い回転耐力を有する。
【０１０１】
前述の実施例による釣り糸ガイドは、釣り糸の糸絡みが発生しても、糸絡みを円滑に解除するように構成されている。例えば、リングサポートのＹ字状曲げ部により、釣り糸ガイドに発生した糸絡みが円滑に解除され得る。図２２Ａ〜図２２Ｇを参照し、釣り糸の糸絡みが発生する例と糸絡みが解除される例を説明する。図２２Ａ〜図２２Ｇにおいて、矢印（Ｆ３）は、仕掛けのキャストの際に釣り糸にかかる張力を指し、矢印（Ｆ４）は、仕掛けのキャストの際に釣り糸ガイドに加えられる風の力を指し、矢印（Ｆ５）は、釣り糸をリール側へ引き戻す力を指す。
【０１０２】
図２２Ａを参照すると、仕掛けのキャストの際にリールから放出された釣り糸１３０では、風の力（Ｆ４）または釣り竿の動きにより釣り糸の一部がリングサポート１３００を追い越してループ部１３１を形成することがある。図２２Ｂを参照すると、ガイドリング２２００を通過する前のループ部１３１が釣り竿のチップに向かう釣り糸の一部１３２を乗り越えることがある。図２２Ｃを参照すると、ループ部１３１が風の力（Ｆ４）や釣り竿の動きによりリングサポート１３００の上端に向かって移動することがある。図２２Ｄを参照すると、ガイドリング２２００に進入する前の釣り糸の一部１３３に、風の向きの変化や釣竿の動きにより、釣り糸をリール側へ引き戻す力（Ｆ５）が働き、釣り糸の一部１３３とリングサポート１３００との間にループ部１３１が入り込んでリングサポート１３００を巻くことがある。図２２Ｅを参照すると、釣り竿のチップに向かう張力（Ｆ３）と引き戻す力（Ｆ５）により、リングサポート１３００を巻いているループ部１３１が引っ張られながら縮小され得る。図２２Ｆを参照すると、引き戻す力（Ｆ５）によりループ部１３１がさらに縮小され、釣り糸１３０は、リングサポート１３００の第１曲げ部１３３１周辺に巻かれた糸絡み部１３４を形成しながらロック状態となることがある。図２２Ｆに示すロック状態の糸絡み部１３４により、釣り糸ガイドに釣り糸の糸絡みが発生し得る。
【０１０３】
しかし、実施例による釣り糸ガイドでは、リングサポート１３００のＹ字状曲げ部により、釣り糸の糸絡みは円滑に解除され得る。糸絡みが発生した状況で、釣り糸１３０には、張力（Ｆ３）が継続して加えられている。図２２Ｇを参照すると、ロック状態にある糸絡み部１３４は、張力（Ｆ３）によりリングサポート１３００の上端に向かって円滑にスライディングし、リングサポート１３００の上端を過ぎると、糸絡み部１３４が解除され得る。これと関連し、Ｙ字状曲げ部により、リング保持部１３１０がリング支持部１３２０に対して曲げられており、リング支持部１３２０は釣り竿のチップに向かって曲げられているため、補強フランジ３３１２の下側壁面やガイドリング２２００の下側壁面は、Ｙ字状曲げ部が形成する前面１３２３の凹んだ部分１３２５に位置する。即ち、補強フランジ３３１２の最下端点とガイドリング２２００の最下端点は、第２曲げ部１３３２の幅方向での両端点より下側に位置する。また、糸絡み部１３４は、Ｙ字状曲げ部により凹んだ部分１３２５に入ることができず、凹んだ部分１３２５から離隔されている。これにより、糸絡み部１３４は、補強フランジ３３１２の下側壁面またはガイドリング２２００の下側壁面にかかることなくリングサポート１３００の上端にスライディングされて解除され得る。
【０１０４】
図２２Ｈは、糸絡みが解除され得ない比較例によるリングサポートを示す。図２２Ｈに示すように、実施例によるＹ字状曲げ部を備えられないリングサポートでは、糸絡み部１３４が補強フランジの下側壁面またはガイドリングの下側壁面にかかり、リングサポートの上端に移動されることができず、糸絡みが解除され得ない。
【０１０５】
本開示の第４実施例による釣り糸ガイドの説明のために、図２３及び図２４に示す例が参照される。図２３は、第４実施例による釣り糸ガイドのリングサポートを示し、図２４は、図２３の２４−２４線に沿ってとった断面図である。
【０１０６】
この実施例の釣り糸ガイド４０００において、リングサポート１３００の補強フランジ３３１２は、その内周面（詳細には、嵌合面３３１３）に形成された複数の嵌合突起４３１５を有する。図２３に示すように、３つの嵌合突起４３１５が嵌合面３３１３に形成され得る。嵌合突起４３１５の個数は３つに限定されず、４つ以上であってもよい。嵌合突起４３１５は、補強フランジ３３１２の嵌合面３３１３から僅かな高さでリング保持孔２３１１側に突出する。嵌合突起４３１５は、補強フランジ３３１２の嵌合面３３１３をシェービング（ｓｈａｖｉｎｇ）加工により若干の深さで切削することにより形成され得る。
【０１０７】
ガイドリング２２００は、リング保持孔２３１１に挿入され、３つの嵌合突起４３１５の表面と嵌合され得る。ガイドリング２２００がリング保持孔２３１１に挿入されると、嵌合突起４３１５がガイドリング２２００の外周面と接触する。リング保持部１３１０は、補強フランジ３３１２の３つの嵌合突起４３１５によりガイドリング２２００を３個所で保持する。即ち、リング保持部１３１０は、３つの嵌合突起４３１５を介してガイドリング２２００と接触する。ガイドリング２２００の外周面は、補強フランジ３３１２の嵌合面３３１３と面接触せず、嵌合突起４３１５と面接触または点接触する。また、図２４に示すように、ガイドリング２２００は、ガイドリング２２００の外周面と補強フランジ３３１２の内周面（嵌合面３３１３）との間に形成された隙間を有して嵌合突起４３１５と嵌合される。このような隙間は、嵌合面３３１３から突出した嵌合突起４３１５により形成され、接着剤を収容することができる。ガイドリング２２００を３個所での嵌合により保持する構造により、ガイドリング２２００の寸法とリング保持孔２３１１の寸法をガイドリング２２００とリング保持孔２３１１が正確に嵌合されるように加工する必要がない。即ち、ガイドリング２２００を３個所での嵌合により保持する構造により、ガイドリング２２００とリング保持孔２３１１との間の嵌合許容公差を拡大させることができる。
【０１０８】
本開示の第５実施例による釣り糸ガイドの説明のために、図２５〜図２７に示す例が参照される。図２５は、本開示の第５実施例による釣り糸ガイドを示す斜視図である。図２６は、図２５に示す釣り糸ガイドの正面図である。図２７は、第５実施例による釣り糸ガイドの変形例を示す正面図である。
【０１０９】
図２５に示す第５実施例による釣り糸ガイド５０００は、ガイドリングが管状竿の外径より大きく、リングサポートが取付部に向かって狭くなる形状を有することを除いては、前述の実施例の釣り糸ガイドと同一の構成を有する。
【０１１０】
図２５を参照すると、釣り糸ガイド５０００は、釣り竿の竿体１１０（詳細には、竿体１１０を構成する管状竿の１つ）に取り付けられる取付部５１００と、釣り糸１３０が通るガイドリング５２００と、ガイドリング５２００を保持及び支持して取付部５１００と部分的に結合されるリングサポート５３００とを含む。
【０１１１】
ガイドリング５２００は、竿体１１０の管状竿の外径より大きい外径を有する。これにより、釣り糸ガイド５０００は、管状竿の外径より大きい外径を有するガイドリングが用いられる例に適用され得る。ガイドリング５２００の形状及び構成は、図３及び図１３に示すガイドリングの形状及び構成と類似することができる。
【０１１２】
取付部５１００は、環状体で形成され、竿体１１０の管状竿の１つが取付部５１００を貫通することができる。前記管状竿が取付部５１００を貫通した状態で、取付部５１００は前記管状竿に沿ってスライド可能であり、前記管状竿に対して回転することができる。前記管状竿は、前方方向（ＴＤ）に細くなるテーパ状を有する。従って、取付部５１００を後方方向（ＢＤ）に移動させることにより、取付部５１００が前記管状竿の外周面と嵌合されて固定され得る。
【０１１３】
取付部５１００は、リングサポート５３００の下側一部が取付部５１００内に埋め込まれるように、リングサポート５３００と一体に結合される。一例として、リングサポート５３００の下側一部が取付部５１００内に埋め込まれるようにリングサポート５３００をインサートとして用いて樹脂材料の射出成形により、取付部５１００とリングサポート５３００が一体に結合され得る。取付部５１００の前記樹脂材料として、前述のカーボン長繊維強化樹脂材料が用いられるものの、これに限定されるものではない。他の例として、リングサポート５３００の下側一部と取付部５１００との間の嵌合及び接着剤接合の方式により、リングサポート５３００の下側一部が取付部５１００内に埋め込まれるように、リングサポート５３００と取付部５１００が一体に結合されることもできる。
【０１１４】
リングサポート５３００の材料及び加工方式は、前述の実施例でのリングサポートの材料及び加工方式と類似する。リングサポート５３００は、その中に形成された曲げ部によりリングサポート５３００を構成する部分が互いに対して折り曲げられたり、湾曲している金属製の薄板として形成されている。
【０１１５】
リングサポート５３００は、管状竿の外径より大きい外径を有するガイドリング５２００に適合した形状を有する。このために、リングサポート５３００は、ガイドリング５２００から取付部５１００に向かって狭くなる形状を有する。即ち、リングサポート５３００の各側端縁の一部は、取付部５１００に向かう下方方向（ＬＤ）にリングサポート５３００の中心に近くなるように形成される。
【０１１６】
図２６を参照すると、一実施例において、リングサポート５３００は、一対の第１側端縁５３６１と、一対の第２側端縁５３６２と、一対の境界部５３６３とを含む。一対の第１側端縁５３６１は、取付部５１００から上方方向（ＵＤ）に延長し、互いに遠くなるように傾斜している。一対の第２側端縁５３６２は、一対の第１側端縁５３６１から上方方向（ＵＤ）にそれぞれ延長する。一対の第２側端縁５３６２は、一対の第１側端縁５３６１の傾斜角度と異なる傾斜角度で傾斜している。一対の境界部５３６３は、第１側端縁５３６１のそれぞれと第２側端縁５３６２のそれぞれとの間にそれぞれ位置する。境界部５３６３は、第１側端縁５３６１と第２側端縁５３６２との間の境界となる。境界部５３６３を基準として、第１側端縁５３６１の傾斜角度と第２側端縁５３６２の傾斜角度が異なる。
【０１１７】
一対の第１側端縁５３６１は、取付部５１００からリングサポート５３００の上端に向かって互いに次第に遠くなる。一対の第２側端縁５３６２は、ガイドリング５２００の付近に位置する。一対の第２側端縁５３６２は、リングサポート５３００の上端に向かって互いに次第に近くなる。一対の第２側端縁５３６２は、０度超３０度以下の夾角（ＩＡ３）で互いに向かって傾いている。他の例として、一対の第２側端縁５３６２は互いに平行であり、夾角を有しないこともある。前述の側端縁の形状により、リングサポート５３００は、ガイドリング５２００に向かって広くなり、境界部５３６３を過ぎてから再度狭くなる形状を有する。従って、リングサポート５３００の幅は、上方方向（ＵＤ）に次第に大きくなってから次第に小さくなり、境界部５３６３で最大となる。
【０１１８】
図２５及び図２６を参照すると、リングサポート５３００は、ガイドリング５２００を保持するリング保持部５３１０と、リング保持部５３１０を介してガイドリング５２００を支持するリング支持部５３２０と、を含む。リングサポート５３００を構成する前記金属製の薄板で、リング保持部５３１０とリング支持部５３２０は一体に形成され、リング保持部５３１０は平らである。
【０１１９】
リング保持部５３１０は、ガイドリング５２００が結合されるリング保持孔５３１１を有する。リング保持孔５３１１は、リング保持部５３１０にリング保持部５３１０の厚さ方向に貫通している。リング保持部５３１０は、リング保持孔５３１１によりガイドリング５２００の全周に沿ってガイドリング５２００を保持するように略環状をとる。リング保持孔５３１１の形状と、リング保持孔５３１１とガイドリング５２００との間の結合は、前述の第１実施例の釣り糸ガイドを参照して説明した形状及び結合と類似することができる。
【０１２０】
リング保持部５３１０の上側縁は、半円形状を有する。リング保持部５３１０の幅方向（ＷＤ）での両側端縁は、取付部５１００に向かう下方方向（ＬＤ）に互いに遠くなることができる。図２６に示すように、リング保持部５３１０の各側端縁は、前述の第２側端縁５３６２として形成されている。これにより、リング保持部５３１０の両側端縁は、リング保持孔５３１１の中心に対して夾角ＩＡ３で互いに向かって傾斜している。他の例として、リング保持部５３１０の両側端縁は、平行であってもよい。また、他の例として、リング保持部５３１０の各側端縁の一部が、前述の第２側端縁５３６２として形成され得る。リング保持部５３１０の下端縁は、下方方向（ＬＤ）に凸なＶ字状を取り、リング保持部５３１０はその下端縁でリング支持部５３２０と一体に連結される。
【０１２１】
図２６を参照すると、リング支持部５３２０は、リング保持部５３１０のＶ字状の下端縁に対応するＶ字状の上端縁を有する。リング支持部５３２０の幅方向（ＷＤ）での各側端縁は、前述の第１側端縁５３６１を含む。これにより、リング支持部５３２０の両側端縁は、取付部５１００に向かう下方方向（ＬＤ）に互いに狭くなる。
【０１２２】
リングサポート５３００は、リング支持部５３２０内に前述の第１曲げ部１３３１を有する。第１曲げ部１３３１は、幅方向（ＷＤ）でリング支持部５３２０の中央に位置する。第１曲げ部１３３１は、竿体１１０の管状竿に向かう下方方向（ＬＤ）にリング支持部５３２０の下端まで延長する。リング支持部５３２０は、第１曲げ部１３３１を含む下側一部で、取付部５１００内に埋め込まれている。
【０１２３】
リング支持部５３２０は、第１曲げ部１３３１を基準として、釣り竿のチップに向かう方向（前方方向（ＴＤ））に前述の第１曲げ角で曲げられている。これにより、図２６に示すように、リング支持部５３２０は、第１曲げ部１３３１により区分され、対称形状に形成された右半部５３２１と左半部５３２２を有する。右半部５３２１と左半部５３２２は、第１曲げ部１３３１を介して一体になっており、前方方向（ＴＤ）に前述の第１曲げ角で互いに向かうように傾いている。
【０１２４】
リングサポート５３００は、リング保持部５３１０とリング支持部５３２０との間の境界となる前述の第２曲げ部１３３２を有する。リング保持部５３１０の下端縁とリング支持部５３２０の上端縁が第２曲げ部１３３２を形成する。リング保持部５３１０は、第２曲げ部１３３２を基準として、リング支持部５３２０に対して釣り竿のチップに向かう方向（前方方向（ＴＤ））に前述の第２曲げ角で曲げられている。第２曲げ部１３３２は、リングサポート５３００の一側端から他側端まで延長する。第２曲げ部１３３２とリングサポート５３００の両側端縁との間の接続点が、第２曲げ部の両端点（Ｐ２）となる。この実施例において、第１側端縁５３６１と第２側端縁５３６２との間の前述の一対の境界部５３６３は、第２曲げ部１３３２の両端点（Ｐ２）にそれぞれ位置する。
【０１２５】
第２曲げ部１３３２は、リングサポート５３００の下端に向かって凸である。図２５及び図２６を参照すると、第２曲げ部１３３２は、下方方向（ＬＤ）に凸なＶ字状を有し、その中心点（Ｐ１）で第１曲げ部１３３１の上端に連結される。また、リングサポート５３００の側方視において、第２曲げ部１３３２は、前方方向（ＴＤ）と上方方向（ＵＤ）との間の斜めの方向に傾いている。図２６に示すように、第２曲げ部１３３２は、第１曲げ部１３３１と第２曲げ部１３３２との間の連結点（第２曲げ部１３３２の中心点（Ｐ１））から第１曲げ部１３３１に対して鈍角で延長する一対の直線状曲げ部１３３３、１３３４を含む。
【０１２６】
互いに合う第１曲げ部１３３１と第２曲げ部１３３２は、Ｙ字状を形成し、リングサポート５３００にＹ字状曲げ部を形成する。従って、リングサポート５３００は、リング保持部５３１０、リング支持部５３２０の右半部５３２１及びリング支持部５３２０の左半部５３２２が互いに向かって曲げられた金属製の薄板として形成される。また、このような金属製の薄板において、リング保持部５３１０、リング支持部５３２０の右半部５３２１及びリング支持部５３２０の左半部５３２２は、Ｙ字状曲げ部をなす第１及び第２曲げ部１３３１，１３３２を介して一体に形成され、これらが第１及び第２曲げ部１３３１，１３３２により互いに向かって曲げられている。このように、リングサポート５３００には、第１曲げ部１３３１と第２曲げ部１３３２が形成するＹ字状曲げ部が提供されている。また、リングサポート５３００には、Ｙ字状曲げ部に沿って前述のＹ字状の加工硬化部が形成されている。従って、釣り糸ガイド５０００は、前述の第１曲げ部と第２曲げ部が形成するＹ字状曲げ部により、向上した曲げ強度、向上した回転防止強度及び向上した取付強度を有する。
【０１２７】
糸絡みの円滑な解消のために、特定の寸法範囲にリングサポート５３００の各部分が形成され得る。図２６を参照すると、第２曲げ部１３３２の直線状曲げ部１３３３、１３３４間の夾角は、前述の夾角（ＩＡ１）になり得る。また、第２曲げ部１３３２の中心点（Ｐ１）は、第２曲げ部１３３２の両端点（Ｐ２）より下に位置し、リング保持孔５３１１の最下端点（Ｐ３）は、第２曲げ部１３３２の両端点（Ｐ２）より下に位置し、糸絡みの円滑な解除に寄与する。また、リングサポート５３００の側端縁の一対の境界部５３６３は、第２曲げ部１３３２の両端点（Ｐ２）にそれぞれ位置するか、または第２曲げ部１３３２の両端点（Ｐ２）より上側にそれぞれ位置する。図２６に示すように、リングサポート５３００の側端縁の一対の境界部５３６３は、両端点（Ｐ２）に位置することができる。第１曲げ角（ＢＡ１）、第２曲げ角（ＢＡ２）、夾角（ＩＡ１）及び夾角ＩＡ３が、前述のそれぞれの範囲内での角度値を有するようにリングサポート５３００が形成される場合に、リングサポート５３００での糸絡みが円滑に解除され得る。また、第２曲げ部１３３２の中心点（Ｐ１）、第２曲げ部１３３２の両端点（Ｐ２）、リング保持孔５３１１の最下端点（Ｐ３）及びリングサポート５３００の側端縁の一対の境界部５３６３間の前述の位置関係により、リングサポート５３００での糸絡みが円滑に解除され得る。
【０１２８】
図２７は、前述の第５実施例の釣り糸ガイドの変形例を示す。図２７を参照すると、リングサポート５３００の側端縁の一対の境界部５３６３は、第２曲げ部１３３２の両端点（Ｐ２）より上側に位置する。これにより、リング保持部５３１０の各側端縁は、前述の第１側端縁５３６１及び第２側端縁５３６２の一部を含む。
【０１２９】
図２８Ａ〜図２８Ｊを参照し、この実施例の釣り糸ガイドで糸絡みの発生と解除の例を説明する。図２８Ａ〜図２８Ｊは、図２５に示す釣り糸ガイドに糸絡みが発生して糸絡みが解除される例を順次示す。図２８Ａ〜図２８Ｊにおいて、矢印（Ｆ３）は、仕掛けのキャストの際に釣り糸にかかる張力を指し、矢印（Ｆ４）は、釣り糸ガイドに加えられる風の力を指し、矢印（Ｆ５）は、釣り糸をリール側へ引き戻す力を指す。
【０１３０】
図２８Ａを参照すると、仕掛けのキャストの際に、リールから放出された釣り糸１３０の一部は、風の力（Ｆ４）または釣り竿の動きによりリングサポート５３００を追い越してループ部１３１を形成することができる。図２８Ｂを参照すると、ガイドリング５２００を通過する前のループ部１３１が釣り竿のチップに向かう釣り糸の一部１３２を乗り越えることがある。図２８Ｃを参照すると、ループ部１３１が風の力（Ｆ４）や釣り竿の動きによりリングサポート５３００の上端を過ぎてリングサポート５３００の下端に向かって移動することがある。図２８Ｄを参照すると、ガイドリング５２００に進入する前の釣り糸の一部１３３に風の方向の変化や釣り竿の動きにより、釣り糸をリール側へ引き戻す力（Ｆ５）が作用し、ループ部１３１がリングサポート５３００の下端に移動しながらリングサポート５３００を巻くことがある。これと関連し、リングサポート５３００の一対の第１側端縁５３６１により、リングサポート５３００の幅がリングサポート５３００の下端に向かって小さくなるため、ループ部１３１が取付部５１００の付近まで移動する。これにより、リングサポート５３００の側方に糸絡み部１３４が形成されながら、釣り糸はロック状態となることがある。図２８Ｅを参照すると、釣り竿のチップに向かう張力（Ｆ３）により、釣り糸の一部１３５，１３６，１３７，１３８がリングサポート５３００に締め込まれ得る。図２８Ｆを参照すると、張力（Ｆ３）が継続して作用する状況で、釣り糸の一部１３６は、張力（Ｆ３）により、釣竿のチップ側へ大きく移動して、釣り糸の一部１３５が最も締め込まるので、釣り糸の一部１３５が支点となり、釣り糸の一部１３７と釣り糸の一部１３８は、張力（Ｆ３）によりガイドリング５２００に向かって移動することがある。図２８Ｇを参照すると、張力（Ｆ３）が継続して作用する状況で、リングサポート５３００に絡みついている釣り糸の一部１３７がリングサポート５３００の側端縁の境界部５３６３を乗り越えてリングサポート５３００の上端に向かって移動することがあり、その次に、釣り糸の一部１３８がリングサポート５３００の側端縁の境界部５３６３を乗り越えてリングサポート５３００の上端に向かって移動することがある。図２８ｈを参照すると、張力（Ｆ３）が継続して作用する状況で、ループ部１３１と糸絡み部１３４がリングサポート５３００の上端に向かって移動することがある。図２８Ｉと図２８Ｊを参照すると、張力（Ｆ３）が継続して作用する状況で、ループ部１３１は、リングサポート５３００の上端に向かってスライディングし、ループ部１３１がリングサポート５３００の上端を過ぎると、糸絡み部１３４が解除され得る。
【０１３１】
リングサポート５３００のＹ字状曲げ部により、リング保持部５３１０がリング支持部５３２０に対して曲げられており、リング支持部５３２０は釣り竿のチップに向かって曲げられているため、ガイドリング５２００の下側壁面は、Ｙ字状曲げ部が形成する凹んだ部分１３２５の付近に位置する。即ち、ガイドリング５２００の最下端点は、第２曲げ部１３３２の両端点より下側に位置する。また、ループ部１３１は、Ｙ字状曲げ部により凹んだ部分１３２５に入ることができず、凹んだ部分１３２５から離隔されている。これにより、ループ部１３１は、ガイドリング５２００の下側壁面にかかることなくリングサポート５３００の上端に円滑にスライディングできる。また、リングサポート５３００の側端縁の一対の境界部５３６３が第２曲げ部１３３２の両端点に位置するか、または両端点より上側に位置するため、図２８Ｆ及び図２８Ｇに示す釣り糸の一部１３７及び釣り糸の一部１３８が境界部５３６３を円滑に乗り越えることができ、ループ部１３１が円滑にリングサポート５３００の上端に移動することができる。
【０１３２】
図２８Ｋは、糸絡みが解除され得ない比較例による釣り糸ガイドを示す。図２８Ｋに示すリングサポートでは、側端縁の境界部５３６３が第２曲げ部１３３２の両端点より下側に位置する。これにより、釣り糸の一部１３５を支点にして動く、釣り糸の一部１３７は、境界部５３６３を乗り越えることができず、張力（Ｆ３）が更に加われば、釣り糸の一部１３７と釣り糸の一部１３８は締め込まれ、ループ部１３１は、リングサポートの上端に向かって移動することができず、釣り糸の糸絡みが解除され得ない。
【０１３３】
図２９〜図３６Ｉを参照し、釣り糸ガイドの製造方法の実施例を説明する。実施例による製造方法により、釣り糸を案内するガイドリング（例えば、図３と図１１に示すガイドリング）を有し、釣り竿の管状竿（例えば、図１に示す管状竿の１つの管状竿）に取り付けられる釣り糸ガイドが製造され得る。実施例による釣り糸ガイドの製造方法は、金属製の薄板からなるリングサポート（例えば、図７と図１５に示すリングサポート）を加工する段階と、リングサポートをインサートとして用いて、樹脂材料によって取付部（例えば、図３、図１１及び図１７に示す取付部）を射出成形する段階を共通に含む。
【０１３４】
図２９は、本開示の第１実施例による釣り糸ガイドの製造方法の段階を示すブロック図である。図３０Ａ〜図３０Ｅは、図２９に示す段階で行われる具体的な例を示す。
【０１３５】
図２９を参照すると、第１実施例による釣り糸ガイドの製造方法は、金属製の薄板からなるリングサポートを加工する段階（Ｓ１００）と、リングサポートをインサートとして用いて、樹脂材料によって取付部を射出成形する段階（Ｓ２００）とを含む。段階（Ｓ１００）により、少なくとも、ガイドリングを保持するリング保持部と、リング保持部と一体に形成されるリング支持部と、リング保持部を曲げさせる第１曲げ部を含むリングサポートとが加工される。段階（Ｓ２００）により、管状竿の外周面と嵌合される内周面（例えば、図３、図１１及び図１７に示す取付部の内周面）を有する取付部が射出成形される。射出成形工程で注入された樹脂材料が硬化することにより、前記取付部が成形される。取付部を構成する樹脂材料は、カーボン繊維強化樹脂であってもよい。さらに詳細には、取付部を構成する樹脂材料は、カーボン長繊維強化樹脂であってもよい。
【０１３６】
カーボン長繊維強化樹脂材料は、カーボン短繊維強化樹脂材料に比べて３〜５倍の高い衝撃強度を有する。カーボン長繊維強化樹脂材料は、高い繊維配合量で高剛性を有し、高温で優れたクリープ特性を有する。カーボン長繊維強化樹脂材料は、高温で高い弾性保持率を有し、低温で優れた衝撃保持率を有する。カーボン長繊維強化樹脂材料は、撓み変形量や引っ張り変形量が小さく、線膨張係数が小さいため寸法安定性が高く、優れた耐摩耗性を有する。
【０１３７】
一実施例において、カーボン長繊維強化樹脂材料は、２７０Ｍｐａの引張強度、３４０ＭＰａの曲げ強度、１７０００Ｍｐａの曲げ弾性率、２２ＫＪ／ｍ２のノッチ付きシャルピー衝撃強度（Ｃｈａｒｐｙ  ｎｏｔｃｈｅｄ  ｉｍｐａｃｔ  ｓｔｒｅｎｇｔｈ）、１７８°Ｃの荷重たわみ温度、１．１６ｇ／ｃｍ３の密度を有する。カーボン長繊維は、略７ｍｍの長さと円筒状を有することができる。カーボン長繊維強化樹脂材料におけるカーボン含量は略３０％になってもよい。カーボン長繊維強化樹脂材料における樹脂は、ナイロン樹脂であってもよい。
【０１３８】
図２９を参照すると、一実施例において、リングサポートを加工する段階（Ｓ１００）は、金属シートにガイドリングが結合される貫通孔を形成する段階（Ｓ１１０）と、前記金属シートに前記第１曲げ部が形成されるように前記金属シートをベンディングする段階（Ｓ１３０）と、前記金属シートから前記リングサポートをブランキングする段階（Ｓ１４０）とを含むことができる。
【０１３９】
図２９と図３０Ａを参照すると、段階（Ｓ１１０）において、四角の平板である金属シート２００が準備され、金属シート２００に貫通孔２１１が形成される。金属シート２００は、ステンレススチール、ステンレス合金、チタン合金、純チタンのような金属材料からなることができる。この実施例で、金属シート２００は、純チタンの金属材料からなる。貫通孔２１１の形成は、パンチングまたはドリリングにより行われることができる。貫通孔２１１が図３に示すリング保持孔になり得、貫通孔２１１に図３に示すガイドリングが結合され得る。
【０１４０】
図２９と図３０Ｂを参照すると、段階（Ｓ１３０）において、金属シート２００をプレス金型を用いてプレス加工することにより、金属シート２００に第１曲げ部１３３１及び第２曲げ部１３３２が形成されるように金属シート２００をベンディングさせる。第１及び第２曲げ部１３３１、１３３２の形成と金属シート２００のベンディングは、金属シート２００に第１曲げ部１３３１と第２曲げ部１３３２を形成できるプレス金型を用いて行われる。前記プレス金型を用いる金属シートのベンディングにより、金属シート２００に第１及び第２曲げ部１３３１、１３３２が形成されながら、第１曲げ部１３３１と第２曲げ部１３３２周辺の金属シート２００の部分が前述の第１曲げ角（ＢＡ１）と第２曲げ角（ＢＡ２）でベンディングされる。第１曲げ部１３３１は、貫通孔２１１に隣接し、金属シート２００の下端まで延長する。第２曲げ部１３３２は、金属シート２００の下端に凸であり、第１曲げ部１３３１と連結される。第２曲げ部１３３２は、金属シート２００の一側端から他側端まで延長する。また、第１及び第２曲げ部１３３１、１３３２を形成しながら金属シート２００をベンディングすることにより、第１曲げ部１３３１と第２曲げ部１３３２の形状に対応する加工硬化部（例えば、図７に示す加工硬化部）が金属シート２００に生成される。金属シートをベンディングする段階（Ｓ１３０）と関連し、第１曲げ部１３３１と第２曲げ部１３３２は、金属シート２００に同時に形成され得る。他の例として、第１曲げ部１３３１が第２曲げ部１３３２より先に金属シート２００に形成されてもよく、または第２曲げ部１３３２が第１曲げ部１３３１より先に金属シート２００に形成されてもよい。
【０１４１】
図２９と図３０Ｃを参照すると、段階（Ｓ１４０）において、第１及び第２曲げ部１３３１、１３３２が形成され、これらを介してベンディングされた金属シート２００から、リングサポート１３００が形成される。金属シート２００からリングサポート１３００を形成することは、プレス金型を用いたブランキングにより行われることができる。金属シート２００から得られたリングサポート１３００は、ガイドリングを保持するリング保持部１３１０と、リング保持部１３１０と一体に形成されるリング支持部１３２０とを有する金属製の薄板で形成されている。また、リングサポート１３００では、リング支持部１３２０が、リング保持孔１３１１付近からリング支持部１３２０の下端まで延長する第１曲げ部１３３１を基準として、第１曲げ角（ＢＡ１）で曲げられている。また、リングサポート１３００では、リング保持部１３１０は、リングサポート１３００の一側端から他側端まで延長し、リングサポート１３００の下端に凸な第２曲げ部１３３２を基準として、リング支持部１３２０に対して第２曲げ角（ＢＡ２）で曲げられている。第２曲げ部１３３２は、リング保持部１３１０とリング支持部１３２０との間の境界となり、その中間で第１曲げ部１３３１に連結される。
【０１４２】
次に、図２９と図３０Ｄを参照すると、段階（Ｓ２００）において、リングサポート１３００をインサートとして用いて、カーボン長繊維強化樹脂によって取付部１１００が射出成形される。リングサポート１３００が射出成形のインサートとして用いられる際に、リングサポート１３００の下側一部が取付部を射出成形するための成形空洞内に挿入される。これにより、第１曲げ部１３３１の下側一部を含むリング支持部１３２０の下側一部が取付部１１００に埋め込まれながら、取付部１１００が射出成形される。また、リングサポート１３００のリング支持部１３２０と取付部１１００が部分的に結合される。
【０１４３】
一実施例の釣り糸ガイドの製造方法は、図２９に示すように、段階（Ｓ２００）の後に、ガイドリングをリング保持孔に嵌め合わせる段階（Ｓ３００）を含むことができる。図３に示すガイドリング１２００をリング保持孔１３１１に嵌め合わせることにより、釣り糸を案内するガイドリング１２００を有して釣り竿の管状竿に取り付けられる釣り糸ガイドが製造され得る。
【０１４４】
この実施例では、金属シートに第１曲げ部１３３１及び第２曲げ部１３３２が形成されるように、金属シートがベンディングされる。他の実施例として、リングサポートは、第１曲げ部のみを備えることができる。従って、前述の金属シートをベンディングする段階は、金属シートに第１曲げ部のみが形成されるように金属シートをベンディングする段階を含むことができる。図３０Ｅは、第１曲げ部のみが形成された金属シートの一例を示す。図３０Ｅに示す金属シートから、第１曲げ部のみを有してリング支持部が第１曲げ部を基準として、第１曲げ角で曲げられているリングサポートが形成され得る。
【０１４５】
図３０Ｄに示すリングサポートと取付部とを含む一実施例の釣り糸ガイドにおいて、リングサポート１３００は、純チタンからなることができ、取付部１１００は、カーボン長繊維強化樹脂材料からなることができる。純チタンの比重は４．５１であり、カーボン長繊維強化樹脂の比重は１．１６である。一実施例の釣り糸ガイドの軽量化と関連し、比重が１．３９であるポリオキシメチレン（ｐｏｌｙｏｘｙｍｅｔｈｙｌｅｎ）樹脂からなる取付部と、比重が５．０３であるチタン合金からなり、取付部に嵌合される取付リングを有するリングサポートとを含む比較例の釣り糸ガイドが仮定されることができる。比較例の釣り糸ガイドにおいて、総体積でリングサポートが占める体積の比率は２３〜４１％になり得る。これに対し、一実施例の釣り糸ガイドにおいて、総体積でリングサポートが占める体積の比率は１０〜１９％になり得る。また、一実施例の釣り糸ガイドは、比較例の釣り糸ガイドの重量の４９〜７０％の重量を有することができる。このように、一実施例の釣り糸ガイドは顕著に低い重量を有し、軽量化を達成できる。
【０１４６】
図３１は、本開示の第２実施例による釣り糸ガイドの製造方法の段階を示すブロック図である。図３２Ａ〜図３２Ｆは、図３１に示す段階で行われる具体的な例を示す。以下で、この実施例の釣り糸ガイドの製造方法の段階のうち、図２９を参照して説明された段階と同一の段階の説明は省略される。
【０１４７】
図３１と図３２Ａを参照すると、リングサポートを加工する段階（Ｓ１００）で、金属シートに貫通孔を形成する段階（Ｓ１１０）により、金属シート２００に貫通孔２１２が形成される。貫通孔２１２が図１１に示すリング保持孔になり得、貫通孔２１２に図１１に示すガイドリングが結合され得る。
【０１４８】
図３１と図３２Ｂを参照すると、この実施例の釣り糸ガイドの製造方法において、リングサポートを加工する段階（Ｓ１００）は、金属シートをベンディングする段階（Ｓ１３０）の前に、前記樹脂材料で満たされる一対の第１開口１３５１を金属シート２００に形成する段階（Ｓ１２０）を含む。第１開口１３５１の形成は、パンチングまたはドリリングにより行われることができる。図３２Ｃに示すように、金属シート２００に第１曲げ部１３３１が形成されると、第１曲げ部１３３１は、一対の第１開口１３５１の間を通る。第１開口１３５１は、第１曲げ部１３３１に対称に位置する。図３２Ｄに示すように、金属シート２００からブランキングされたリングサポート１３００で、第１開口１３５１は、リングサポート１３００のリング支持部１３２０に位置する。
【０１４９】
図３１と図３２Ｅを参照すると、取付部を射出成形する段階（Ｓ２００）において、リングサポート１３００をインサートとして用いて、カーボン長繊維強化樹脂によって取付部１１００が射出成形される。リングサポート１３００が射出成形のインサートとして用いられる際に、リングサポート１３００の下側一部が取付部を射出成形するための成形空洞内に挿入される。これにより、第１曲げ部１３３１の下側一部及び第１開口１３５１を含む、リング支持部１３２０の下側一部が取付部１１００に埋め込まれながら、取付部１１００が射出成形される。取付部を射出成形する段階（Ｓ２００）により、第１開口１３５１は、取付部１１００をなす樹脂材料で満たされる。これにより、第１開口１３５１は、硬化した前記樹脂材料と結合する。また、取付部を射出成形する段階（Ｓ２００）により、前述の上方リブ２１２０と側方リブ２１３０が取付部１１００に形成される。これと関連し、取付部１１００を射出成形するための成形空洞には、上方リブと側方リブを形成するためのリブ形成部が備えられている。
【０１５０】
次に、図３１と図３２Ｅを参照すると、段階（Ｓ３００）において、図１１に示すガイドリングがリング保持部１３１０のリング保持孔２３１１に嵌合され、図１１に示す釣り糸ガイドが製造され得る。
【０１５１】
第１開口を金属シートに形成する段階（Ｓ１２０）と関連し、図２及び図３に示す第２開口の形成が、金属シートをベンディングする段階（Ｓ１３０）の前に行われることができる。図３２Ｆは、金属シートのベンディング前に第２開口１３５２が金属シートに形成される例を示す。
【０１５２】
図３３は、本開示の第３実施例による釣り糸ガイドの製造方法の段階を示すブロック図である。図３４Ａ〜図３４Ｆは、図３３に示す段階で行われる具体的な例を示す。以下で、この実施例の釣り糸ガイドの製造方法の段階のうち、図３１を参照して説明された段階と同一の段階の説明は省略される。
【０１５３】
図３３と図３４Ａを参照すると、リングサポートを加工する段階（Ｓ１００）で、金属シートに貫通孔を形成する段階（Ｓ１１０）により、金属シート２００に、図１７に示すガイドリングが結合され得るリング保持孔を形成するための貫通孔２１３が形成される。
【０１５４】
図３３、図３４Ａ及び図３４Ｂを参照すると、リングサポートを加工する段階（Ｓ１００）における貫通孔を形成する段階（Ｓ１１０）は、貫通孔２１３の全周を金属シート２００から突出させて補強フランジ３３１２を形成する段階（Ｓ１１１）を含む。段階（Ｓ１１１）により、嵌合面３３１３と案内面３３１４を有して嵌合面３３１３によってリング保持孔を限定する、図１７に示す補強フランジ３３１２がリングサポート１３００に形成され得る。補強フランジ３３１２は、金属シート２００から垂直に突出することができる。補強フランジ３３１２の内周面（詳細には、嵌合面３３１３）が図１７に示すリング保持孔２３１１を形成することができ、補強フランジ３３１２の内周面に図１７に示すガイドリングが嵌合されることができる。補強フランジ３３１２の形成は、バーリング（ｂｕｒｒｉｎｇ）により、例えばプレスパンチを用いて貫通孔２１３の縁部全体を釣り竿のチップに向かうように突出させることにより行われることができる。
【０１５５】
図３３と図３４Ｅを参照すると、補強フランジ３３１２が形成された金属シート２００から、リングサポート１３００がブランキングされる。図３３と図３４Ｆを参照すると、補強フランジ３３１２を有するリングサポート１３００をインサートとして用いて、カーボン長繊維強化樹脂によって取付部１１００が射出成形される。取付部１１００を射出成形する段階（Ｓ２００）により、取付部１１００の内周面１１１２には、図１７に示す複数のセレーション３１４０が形成される。前記セレーションは、取付部１１００を射出成形するための成形空洞内に配置されるコアピンにより形成され得る。前記コアピンは、その外周面に、取付部１１００のセレーションの形状に対応するセレーションを有することができる。
【０１５６】
次に、図３３及び図３４Ｆを参照すると、段階（Ｓ３００）において、図２１に示すガイドリングがリング保持部１３１０のリング保持孔２３１１に嵌合され、図１７に示す釣り糸ガイドが製造され得る。段階（Ｓ３００）と関連し、ガイドリングは、案内面３３１４から嵌合面３３１３に嵌合されることができる。
【０１５７】
図３３と図３４Ｃに示すように、リングサポートを加工する段階（Ｓ１００）は、金属シートに第１開口１３５１を形成する段階（Ｓ１２０）を含む。段階（Ｓ１２０）と関連し、図２及び図３に示す第２開口の形成が、金属シートをベンディングする段階（Ｓ１３０）の前に第１開口１３５１の形成とともに行われることができる。図３４Ｇは、金属シートのベンディング前に第２開口１３５２が金属シートに形成される例を示す。または、リングサポートを加工する段階（Ｓ１００）は、第１及び第２開口を金属シートに形成する段階を含まないことがある。
【０１５８】
図３５は、本開示の第４実施例による釣り糸ガイドの製造方法の段階を示すブロック図である。図３６Ａ〜図３６Ｉは、図３５に示す段階で行われる具体的な例を示す。以下で、この実施例の釣り糸ガイドの製造方法の段階のうち、図３３を参照して説明された段階と同一の段階の説明は省略される。
【０１５９】
図３５と図３６Ｃを参照すると、リングサポートを加工する段階（Ｓ１００）の貫通孔を形成する段階（Ｓ１１０）は、補強フランジ３３１２の内周面（詳細には、嵌合面３３１３）にガイドリングの外周面と接触する複数の嵌合突起４３１５を形成する段階（Ｓ１１２）を含む。嵌合突起４３１５の形成は、シェービング（ｓｈａｖｉｎｇ）により行われることができる。例えば、シェービング（ｓｈａｖｉｎｇ）により、嵌合面３３１３を嵌合突起４３１５が残るように切削することで、嵌合突起４３１５が形成され得る。段階（Ｓ１１２）により、ガイドリングを３個所での嵌合により保持する構造がリングサポートに設けられることができる。
【０１６０】
図３５と図３６Ｆを参照すると、補強フランジ３３１２及び嵌合突起４３１５が形成された金属シート２００から、リングサポート１３００がブランキングされる。図３５と図３６Ｇを参照すると、補強フランジ３３１２及び嵌合突起４３１５を有するリングサポート１３００をインサートとして用いて、カーボン長繊維強化樹脂によって取付部１１００がリングサポート１３００とともに射出成形される。次に、図３５及び図３６Ｇを参照すると、段階（Ｓ３００）において、図２３に示すガイドリングがリング保持部１３１０のリング保持孔２３１１に嵌合され、図２３に示す釣り糸ガイドが製造され得る。
【０１６１】
図３５と図３６Ｄに示す第１開口１３５１を形成する段階（Ｓ１２０）と関連し、この実施例の釣り糸ガイドの製造方法は、図２及び図３に示す第２開口を金属シート２００に形成する段階を含むことができ、または第１及び第２開口を金属シートに形成する段階を含まないことができる。図３６Ｈは、金属シートのベンディング前に、第２開口１３５２が金属シートに形成される例を示す。
【０１６２】
図２５〜図２７に示す釣り糸ガイドは、図２９と図３０Ａ〜図３０Ｄを参照して説明した製造方法の段階と類似の段階により製造され得る。例えば、図２５と図３０Ａ〜図３０Ｃを参照して説明した段階と類似の段階により、図２５及び図２７に示すリングサポート５３００が金属シートから加工され得る。これにより、第１曲げ部１３３１と第２曲げ部１３３２が形成されたリングサポート５３００が金属シートから得られる。リングサポート５３００の加工と関連し、図３２Ｂに示す第１開口または図３２Ｆに示す第２開口がリングサポート５３００に形成され得る。次に、図２５と図３０Ｄを参照して説明した段階と類似の段階により、図２５及び図２７に示す取付部５１００とリングサポート５３００は、第１曲げ部の下側一部を含むリングサポート５３００の下側一部が取付部５１００に埋め込まれるように、リングサポート５３００をインサートとして用いて射出成形により一体に結合され得る。
【０１６３】
図３０Ｃ、図３２Ｄ、図３４Ｅ及び図３６Ｆに示すように、第１及び第２曲げ部１３３１、１３３２が形成された金属シート２００からリングサポート１３００がブランキングにより形成される。即ち、金属シート２００に第１及び第２曲げ部１３３１、１３３２が形成された後、金属シート２００からリングサポート１３００がブランキングされる。従って、完成したリングサポート１３００で、外側寸法の変化が少ない。図３６Ｉに示すように、金属シート２００から破断されたリングサポート１３００の破断面（リングサポート１３００の側面）がリング保持孔の中心軸に対して角度を有しない。図３６Ｉに示すように、リング保持部１３１０の側面１３１２とリング支持部１３２０の側面１３２６は、リングサポートの前面または後面と鋭角（ＡＡ）を形成する。鋭角（ＡＡ）の大きさは、第１曲げ角（ＢＡ１）の半分になってもよい。万一、金属シート２００からリングサポート１３００の平面形状に対応する加工品をブランキングによって得た後、そのような加工品に第１及び第２曲げ部１３３１，１３３２を形成する場合、リングサポート１３００の破断面はリングサポート１３００の前面または後面と略直角を形成し、曲げによる寸法安定性が悪化する。即ち、この場合、リングサポート１３００の側面１３１２，１３２６がリング保持孔の中心軸の方向に対して傾斜する。しかし、第１及び第２曲げ部１３３１、１３３２の形成後にブランキングされたリングサポート１３００は、リング保持孔の中心軸に対して角度を有しない破断面を有するため、完成したリングサポート１３００は、取付部１１００を射出成形するための金型に精密に安着でき、樹脂漏れのような成形不良を予防することができる。
【０１６４】
前述の釣り糸ガイドとその製造方法によると、硬化した樹脂材料からなる取付部１１００、５１００と金属製の薄板からなるリングサポート１３００、５３００とは、部分的結合により一体に結合されている。第１曲げ部１３３１の下側一部を含むリング支持部１３２０、５３２０の下側一部が、または第１曲げ部１３３１の下側一部及び第１開口１３５１を含むリング支持部１３２０の下側一部が取付部１１００，５１００内に埋め込まれる方式で、リングサポート１３００，５３００と取付部１１００，５１００とがインサート射出成形により一体に結合する。従って、実施例による釣り糸ガイドは、ガイドリングと取付部との間に、取付部に一部が埋め込まれて金属製の薄板からなるリングサポート１３００，５３００のみを有する。即ち、実施例による釣り糸ガイドは、環状の取付部に嵌合される取付リングのような連結部品を備えない。また、実施例の釣り糸ガイドの製造方法は、リングサポートに取付リングを形成する工程と取付リングを環状の取付部に嵌め合わせる工程とを含まない。これにより、実施例の釣り糸ガイドは、さらに少ない数の製造工程によって製造され得る。また、実施例のリングサポート１３００，５３００は、取付リングのような連結部品を備えないため、１つのリングサポート１３００，５３００が多様な外径を有する取付部１１００，５１００と一体に形成され得る。即ち、多様な外径を有する取付部１１００，５１００に同一の１つのリングサポート１３００，５３００が用いられる。従って、実施例の釣り糸ガイドの製造と関連し、要求される金型の数と金型費用が大幅に減少することができる。例えば、前記取付リングのような連結部品を介してリングサポートが取付部に嵌合される釣り糸ガイドと比較し、実施例の釣り糸ガイドの製造に要求される金型の数は、６２％程度減少することができ、金型費用は２７％程度減少することができる。
【０１６５】
一実施例の釣り糸ガイドは、リングサポートをインサートとして用いて、カーボン長繊維強化樹脂によって取付部を射出成形することにより製造され得る。前述の実施例による釣り糸ガイドの製造に用いられる射出成形装置の実施例が図３７〜図４２に示されている。図３７は、釣り糸ガイドの製造に用いられる射出成形装置を概略的に示す。図３８は、図３７に示す下型を示す平面図である。図３９は、図３７に示す下型の一部を示す斜視図である。図４０は、コアピンとエジェクタースリーブを示す斜視図である。図４１は、コアピン、エジェクタースリーブ及び射出成形された取付部を示す斜視図である。図４２は、エジェクタースリーブにより行われるエジェクティング動作を例示する。
【０１６６】
前述の一実施例によると、釣り糸ガイドは、硬化した樹脂材料からなる環状の取付部（例えば、図３、図１１及び図１７に示す取付部１１００、図２５に示す取付部５１００）と、取付部と部分的に結合されて金属製の薄板からなるリングサポート（例えば、図７、図１５及び図１８に示すリングサポート１３００、図２５及び図２７に示すリングサポート５３００）とを含む。取付部は、釣り竿の管状竿（例えば、図１に示す管状竿の１つの管状竿）の外周面と嵌合される円筒状の内周面を有する。リングサポートは、釣り糸を案内するガイドリング（例えば、図３及び図１１に示すガイドリング１２００，２２００、図２５及び図２６に示すガイドリング５２００）を保持するリング保持部（例えば、図７、図１５、図１８に示すリング保持部１３１０、図２５及び図２７に示すリング保持部５３１０）及び前記リング保持部と一体に形成されたリング支持部（例えば、図７、図１５、図１８に示すリング支持部１３２０、図２５及び図２７に示すリング支持部５３２０）を含む。リング支持部は、管状竿に向かう下方方向における端部まで延長する第１曲げ部（例えば、図７、図１５、図１８及び図２５に示す第１曲げ部１３３１）を基準として第１曲げ角（例えば、図８に示す第１曲げ角（ＢＡ１））で曲げられている。一実施例の射出成形装置は、このような釣り糸ガイドの製造に用いられる。
【０１６７】
図３７を参照すると、射出成形装置３００は、上型３２０と、下型３３０と、エジェクター３４０とを含む。射出成形装置３００は、下型３３０を支持するベース３１０を有する。下型３３０は、ベース３１０により支持され、固定されている。上型３２０は、下型３３０に近づいたり下型３３０から分離されるように、図示していない駆動機構により垂直方向に移動可能である。エジェクター３４０は、射出成形された取付部１１００を下型３３０から分離させる。
【０１６８】
ベース３１０には、垂直方向に延長するガイドロード３１１が取り付けられており、ガイドロード３１１は、下型３３０を貫通する。ガイドロード３１１の上端には、図４０に示すコアピン３１２が配置される。コアピン３１２により、図３に示す取付部１１００のボア１１１１及び内周面１１１２が形成される。即ち、コアピン３１２は、取付部１１００の内周面の形状に対応する外周面の形状を有する。コアピン３１２は、スクリュ３１４によりガイドロード３１１の上端に取り付けられる。図４０に示すように、コアピン３１２の外周面には、図１７に示すセレーション３１４０の形状に対応するセレーション３１３が形成されている。他の実施例として、取付部の内周面がセレーションを有しない第１及び第２実施例の釣り糸ガイドを製造する場合、コアピン３１２の外周面は円筒状を有する。
【０１６９】
図３７を参照すると、上型３２０はその下側に、取付部１１００の一部を射出成形するように形成された第１成形空洞３２１を有する。第１成形空洞３２１は、取付部１１００の小外径部１１１４の形状に略対応するように形成され得る。また、上型３２０には、溶融した樹脂材料（例えば、カーボン長繊維強化樹脂）が注入される垂直注入路３２２と、垂直注入路３２２から延長し、垂直注入路３２２から分岐した第１水平注入路３２３が形成されている。第１水平注入路３２３の端には、第１成形空洞３２１と通じて樹脂材料が第１成形空洞３２１に入る第１ゲート３２４が形成されている。
【０１７０】
図３７〜図３９を参照すると、下型３３０はその上側に、取付部１１００の残りの一部を射出成形するように形成された第２成形空洞３３１と、第２成形空洞３３１から延長して形成されたインサートシート（ｉｎｓｅｒｔ  ｓｅａｔ）３３４とを有する。
【０１７１】
第２成形空洞３３１は、図３に示す取付部１１００の大外径部１１１３及び結合部１１１７の形状に略対応するように形成され得る。下型３３０には、第２成形空洞３３１と連通する第２水平注入路３３２が形成されており、第２水平注入路３３２の端には、第２成形空洞３３１と通じて樹脂材料が第２成形空洞３３１に入る第２ゲート３３３が形成されている。上型３２０と下型３３０が閉じられると、第２水平注入路３３２は、第１水平注入路３２３とともに１つの水平注入路を形成する。上型３２０と下型３３０が閉じられると、第２ゲート３３３は、第１ゲート３２４とともに１つのゲートを形成する。このようなゲートは、取付部１１００の大外径部１１１３の最下端に位置する。また、上型３２０と下型３３０が閉じられると、第１成形空洞３２１と第２成形空洞３３１が取付部を成形するための１つの成形空洞を形成する。図４０〜図４２に示すコアピン３１２は、このような１つの成形空洞内に位置する。
【０１７２】
図３９に示すように、取付部の射出成形のために、リングサポート１３００がインサートシート３３４に安着して固定される。インサートシート３３４は、リングサポート１３００の下側一部が第２成形空洞３３１内に挿入されるように、第２成形空洞３３１から延長して形成されている。第２成形空洞３３１に挿入されるリングサポート１３００の前記下側一部は、第１曲げ部１３３１の下側一部及び第１開口１３５１を含むリング支持部１３２０の下側一部である。他の実施例として、第２成形空洞３３１に挿入されるリングサポート１３００の前記下側一部は、第１曲げ部１３３１の下側一部を含むリング支持部１３２０の下側一部になることができる。
【０１７３】
インサートシート３３４は、第２成形空洞３３１と連通し、下型３３０の上面から凹んでいる。インサートシート３３４は、第１曲げ部１３３１と第２曲げ部１３３２により曲げられたリングサポート１３００が安着するように形成されている。図３８及び図３９を参照すると、インサートシート３３４は、第２成形空洞３３１の領域に位置する部分を除いたリングサポート１３００の前面と密着するように形成された底壁３３５と、リングサポート１３００の側面（例えば、図３６Ｉに示す側面１３１２、１３２６）と密着するように形成された側壁３３６とを有する。底壁３３５には、リングサポート１３００の第１曲げ部１３３１の形状に対応する突出部３３７と、リングサポート１３００の第２曲げ部１３３２の形状に対応する突出部３３８とが形成され得る。また、底壁３３５には、リングサポート１３００の第２開口１３５２に挿入され得る突起が形成され得る。図３８及び図３９に示すインサートシートの底壁と側壁の形状は、単に例示的である。インサートシートの底壁と側壁は、本開示の実施例によるリングサポートを固定できるように形成され得る。
【０１７４】
エジェクター３４０は、取付部１１００が射出成形により形成された後、取付部１１００を下型３３０から上方に押し出すように機能する。図３７を参照すると、エジェクター３４０は、円柱状を有するエジェクターピン３４１と、円筒状を有するエジェクタースリーブ３４２とを含むことができる。射出成形後、エジェクターピン３４１とエジェクタースリーブ３４２が射出成形された取付部１１００をエジェクティングする。
【０１７５】
図３７に示すように、エジェクターピン３４１は、射出された樹脂が流れる通路に存在し樹脂が硬化した部分であるスプール（ｓｐｏｏｌ）３５１と接触し、スプール３５１を上方にエジェクティングする。スプール３５１は取付部１１００と連結されており、取付部１１００を構成しない。
【０１７６】
図３７に示すように、エジェクタースリーブ３４２は、ガイドロード３１１に取り付けられている。図４０に示すように、エジェクタースリーブ３４２はその上端面に、射出成形された取付部１１００の環状の表面（例えば、図１４に示す取付部の前端面１１１５）と全体的に面接触で接触するエジェクティング面３４３を備える。エジェクティング面３４３は、環状を有する。これにより、図４１及び図４２に示すように、取付部１１００が前記下型からエジェクティングされる際に、取付部１１００の前端面１１１５は、前端面１１１５の全周に沿ってエジェクタースリーブ３４２のエジェクティング面３４３から均一の力を受けることができる。従って、成形された取付部を下型からエジェクティングする際に発生し得る取付部の変形、取付部の損傷などが防止され得る。
【０１７７】
以上、一部実施例と添付の図面に示す例によって本開示の技術的思想が説明されたものの、本開示が属する技術分野で通常の知識を有する者が理解できる本開示の技術的思想及び範囲を逸脱しない範囲で多様な置換、変形及び変更がなされ得るという点を知っているべきである。また、そのような置換、変形及び変更は、添付の請求の範囲内に属するものと考えられるべきである。
【符号の説明】
【０１７８】
１００  釣り竿、１０１  釣り竿のチップ、１０２  釣り竿のバット、１１０  竿体、１１３  管状竿、１３０  釣り糸、１０００  釣り糸ガイド、２０００  釣り糸ガイド、３０００  釣り糸ガイド、４０００  釣り糸ガイド、５０００  釣り糸ガイド、１１００  取付部、５１００  取付部、１１１２  内周面、１１１３  大外径部、１１１４  小外径部、１１１５  前端面、１１１６  後端面、２１２０  上方リブ、２１２１  後端面、２１３０  側方リブ、２１３１  後端面、１２００  ガイドリング、２２００  ガイドリング、５２００  ガイドリング、１３００  リングサポート、５３００  リングサポート、１３１０  リング保持部、５３１０  リング保持部、１３１１  リング保持孔、２３１１  リング保持孔、５３１１  リング保持孔、３３１２  補強フランジ、４３１５  嵌合突起、１３２０  リング支持部、５３２０  リング支持部、１３３１  第１曲げ部、１３３２  第２曲げ部、１３５１  第１開口、５３６１  第１側端縁、５３６２  第２側端縁、５３６３  境界部、２００  金属シート、２１１  貫通孔、２１２  貫通孔、２１３  貫通孔、３００  射出成形装置、３２０  上型、３２１  第１成形空洞、３３０  下型、３３１  第２成形空洞、３３４  インサートシート、３４０  エジェクター、３４２  エジェクタースリーブ、３４３  エジェクティング面、ＢＡ１  第１曲げ角、ＢＡ２  第２曲げ角、ＣＡ１  中心軸、ＴＤ  前方方向、ＢＤ  後方方向、ＵＤ  上方方向、ＬＤ  下方方向。
【図１】
2019142623.tif 000003
【図２】
2019142623.tif 000004
【図３】
2019142623.tif 000005
【図４】
2019142623.tif 000006
【図５】
2019142623.tif 000007
【図６】
2019142623.tif 000008
【図７】
2019142623.tif 000009
【図８】
2019142623.tif 000010
【図９】
2019142623.tif 000011
【図１０】
2019142623.tif 000012
【図１１】
2019142623.tif 000013
【図１２】
2019142623.tif 000014
【図１３】
2019142623.tif 000015
【図１４】
2019142623.tif 000016
【図１５】
2019142623.tif 000017
【図１６】
2019142623.tif 000018
【図１７】
2019142623.tif 000019
【図１８】
2019142623.tif 000020
【図１９】
2019142623.tif 000021
【図２０】
2019142623.tif 000022
【図２１】
2019142623.tif 000023
【図２２Ａ】
2019142623.tif 000024
【図２２Ｂ】
2019142623.tif 000025
【図２２Ｃ】
2019142623.tif 000026
【図２２Ｄ】
2019142623.tif 000027
【図２２Ｅ】
2019142623.tif 000028
【図２２Ｆ】
2019142623.tif 000029
【図２２Ｇ】
2019142623.tif 000030
【図２２Ｈ】
2019142623.tif 000031
【図２３】
2019142623.tif 000032
【図２４】
2019142623.tif 000033
【図２５】
2019142623.tif 000034
【図２６】
2019142623.tif 000035
【図２７】
2019142623.tif 000036
【図２８Ａ】
2019142623.tif 000037
【図２８Ｂ】
2019142623.tif 000038
【図２８Ｃ】
2019142623.tif 000039
【図２８Ｄ】
2019142623.tif 000040
【図２８Ｅ】
2019142623.tif 000041
【図２８Ｆ】
2019142623.tif 000042
【図２８Ｇ】
2019142623.tif 000043
【図２８Ｈ】
2019142623.tif 000044
【図２８Ｉ】
2019142623.tif 000045
【図２８Ｊ】
2019142623.tif 000046
【図２８Ｋ】
2019142623.tif 000047
【図２９】
2019142623.tif 000048
【図３０Ａ】
2019142623.tif 000049
【図３０Ｂ】
2019142623.tif 000050
【図３０Ｃ】
2019142623.tif 000051
【図３０Ｄ】
2019142623.tif 000052
【図３０Ｅ】
2019142623.tif 000053
【図３１】
2019142623.tif 000054
【図３２Ａ】
2019142623.tif 000055
【図３２Ｂ】
2019142623.tif 000056
【図３２Ｃ】
2019142623.tif 000057
【図３２Ｄ】
2019142623.tif 000058
【図３２Ｅ】
2019142623.tif 000059
【図３２Ｆ】
2019142623.tif 000060
【図３３】
2019142623.tif 000061
【図３４Ａ】
2019142623.tif 000062
【図３４Ｂ】
2019142623.tif 000063
【図３４Ｃ】
2019142623.tif 000064
【図３４Ｄ】
2019142623.tif 000065
【図３４Ｅ】
2019142623.tif 000066
【図３４Ｆ】
2019142623.tif 000067
【図３４Ｇ】
2019142623.tif 000068
【図３５】
2019142623.tif 000069
【図３６Ａ】
2019142623.tif 000070
【図３６Ｂ】
2019142623.tif 000071
【図３６Ｃ】
2019142623.tif 000072
【図３６Ｄ】
2019142623.tif 000073
【図３６Ｅ】
2019142623.tif 000074
【図３６Ｆ】
2019142623.tif 000075
【図３６Ｇ】
2019142623.tif 000076
【図３６Ｈ】
2019142623.tif 000077
【図３６Ｉ】
2019142623.tif 000078
【図３７】
2019142623.tif 000079
【図３８】
2019142623.tif 000080
【図３９】
2019142623.tif 000081
【図４０】
2019142623.tif 000082
【図４１】
2019142623.tif 000083
【図４２】
2019142623.tif 000084
【国際調査報告】
2019142623.tif 000085
2019142623.tif 000086
2019142623.tif 000087